(57)【要約】  生物学的サンプル（１１２）から少なくとも一つの成分を抽出するため、具体的には植物標本から代謝物質を抽出するための抽出デバイス（１１０）が開示される。抽出デバイス（１１０）は、サンプル（１１２）の第一の側面（１２２）と接触するように適合された少なくとも一つの液体充填器（１１６）を有する。液体充填器（１１６）は、抽出液（１２８）、具体的には少なくとも一種の溶媒をサンプル（１１２）の第一の側面（１２２）に適用するように適合される。抽出デバイス（１１０）はさらに、サンプル（１１２）の第二の側面（１２４）と接触するように適合された少なくとも一つのサンプリングデバイス（１１８）を有する。サンプリングデバイス（１１８）は、抽出液（１２８）と成分とを含むサンプル流体（１２６）を収集するように適合される。【選択図】図１
2013545964.tif 000002
【特許請求の範囲】
【請求項１】
少なくとも一つの成分を生物学的サンプル（１１２）から抽出するため、具体的には代謝物質を植物標本から抽出するための抽出デバイス（１１０）であって、少なくとも一つの液体充填器（１１６）を有し、前記液体充填器（１１６）が前記サンプル（１１２）の第一の側面（１２２）と接触するように適合され、且つ抽出液（１２８）、具体的には少なくとも一種の溶媒を前記サンプル（１１２）の前記第一の側面（１２２）に適用するように適合され、前記抽出デバイス（１１０）がさらに少なくとも一つのサンプリングデバイス（１１８）を有し、前記サンプリングデバイス（１１８）が前記サンプル（１１２）の第二の側面（１２４）と接触するように適合され、且つ前記抽出液（１２８）と前記成分とを含むサンプル流体（１２６）を収集するように適合される、前記抽出デバイス（１１０）。
【請求項２】
前記液体充填器（１１６）及び前記サンプリングデバイス（１１８）が、少なくとも一つの接続機構（１６２）によって接続され、前記接続機構（１６２）が、前記液体充填器（１１６）と前記サンプリングデバイス（１１８）との間の距離を変化させるように、且つ前記液体充填器（１１６）と前記サンプリングデバイス（１１８）との間に配置された前記サンプル（１１２）にクランプ力を加えるように適合される、請求項１に記載の抽出デバイス（１１０）。
【請求項３】
前記接続機構（１６２）が少なくとも一つのヒンジ（１２０）を有する、請求項２に記載の抽出デバイス（１１０）。
【請求項４】
前記接続機構（１６２）が前記液体充填器（１１６）と前記サンプリングデバイス（１１８）との相対運動、好ましくは直線的相対運動を可能にする、少なくとも一つのレールエレメント（１６８）を有する、請求項２又は３に記載の抽出デバイス（１１０）。
【請求項５】
前記レールエレメント（１６８）が少なくとも一つの案内棒（１７０）を有する、請求項４に記載の抽出デバイス（１１０）。
【請求項６】
前記接続機構（１６２）が少なくとも一つのばねエレメント（１８６）を有し、前記ばねエレメント（１８６）が、前記液体充填器（１１６）と前記サンプリングデバイス（１１８）とを分離する分離力を加えるように適合される、請求項２〜５のいずれかに記載の抽出デバイス（１１０）。
【請求項７】
手持ち式デバイスである、請求項１〜６のいずれかに記載の抽出デバイス（１１０）。
【請求項８】
前記液体充填器（１１６）が、前記サンプル（１１２）の前記第一の側面（１２２）に押しつけられるように適合された少なくとも一つの第一の封止エレメント（１３４）、具体的には少なくとも一つのＯリングを有する、請求項１〜７のいずれかに記載の抽出デバイス（１１０）。
【請求項９】
前記サンプル（１１２）の前記第二の側面（１２４）に押しつけられるように適合された少なくとも一つの第二の封止エレメント（１４０）、具体的には少なくとも一つのＯリングを有する、請求項１〜８のいずれかに記載の抽出デバイス（１１０）。
【請求項１０】
前記サンプリングデバイス（１１８）が少なくとも一つのサンプリング容器（１３６）を有し、前記サンプル流体（１２６）を前記サンプリング容器（１３６）内に少なくとも部分的に案内するように適合される、請求項１〜９のいずれかに記載の抽出デバイス（１１０）。
【請求項１１】
前記サンプリング容器（１３６）が、前記サンプリングデバイス（１１８）内に置換可能に配置される、請求項１０に記載の抽出デバイス（１１０）。
【請求項１２】
前記サンプリングデバイス（１１８）が、前記サンプリング容器（１３６）内部のガス圧力を調整するように適合された少なくとも一つの圧力調整エレメント（１５０）を有する、請求項１０又は１１に記載の抽出デバイス（１１０）。
【請求項１３】
前記サンプリングデバイス（１１８）が、前記サンプリング容器（１３６）の少なくとも一つの内部空間（１５２）を、ガスに、具体的には不活性ガスにさらすように適合された少なくとも一つのガス入口（１５４）を有する、請求項１０〜１２のいずれかに記載の抽出デバイス（１１０）。
【請求項１４】
前記サンプリングデバイス（１１８）が少なくとも一つのサンプルテンパリングエレメント（１４４）を有し、前記サンプルテンパリングエレメント（１４４）が前記サンプル流体（１２６）をテンパリングするように適合される、請求項１〜１３のいずれかに記載の抽出デバイス（１１０）。
【請求項１５】
前記サンプリングデバイス（１１８）が、前記サンプル流体（１２６）を受けるために少なくとも一つの漏斗（１６４）を有する、請求項１〜１４のいずれかに記載の抽出デバイス（１１０）。
【請求項１６】
前記サンプル流体（１２６）をろ過するために少なくとも一つのフィルタエレメント（１５６）を有する、請求項１〜１５のいずれかに記載の抽出デバイス（１１０）。
【請求項１７】
前記フィルタエレメント（１５６）が、メッシュ、スクリーン、ふるい、網、一つ又は複数の穿孔を有する穴あき板（２１２）からなる群から選択される、請求項１６に記載の抽出デバイス（１１０）。
【請求項１８】
前記液体充填器（１１６）が少なくとも一つの加圧エレメント（１４８）を有し、前記加圧エレメント（１４８）が前記抽出液（１２８）を加圧状態で供給するように適合される、請求項１〜１７のいずれかに記載の抽出デバイス（１１０）。
【請求項１９】
前記抽出デバイス（１１０）、好ましくは前記液体充填器（１１６）が、少なくとも一つの弁、好ましくは背圧弁（２０４）を有する、請求項１〜１８のいずれかに記載の抽出デバイス（１１０）。
【請求項２０】
前記液体充填器（１１６）が少なくとも一つの抽出液（１２８）テンパリングエレメント（１４６）を有し、前記抽出液（１２８）テンパリングエレメント（１４６）が前記抽出液（１２８）をテンパリングするように適合される、請求項１〜１９のいずれかに記載の抽出デバイス（１１０）。
【請求項２１】
前記サンプリングデバイス（１１８）が、前記成分を吸収するように、且つ好ましくは前記成分を濃縮及び／又は枯渇させるように適合された少なくとも一つの吸収材料（１５８）を有する、請求項１〜２０のいずれかに記載の抽出デバイス（１１０）。
【請求項２２】
請求項１〜２１のいずれかに記載の少なくとも一つの抽出デバイス（１１０）を備える抽出システムであって、少なくとも一つの生物学的サンプル（１１２）、好ましくは少なくとも一つの植物標本をさらに含み、前記生物学的サンプル（１１２）が前記液体充填器（１１６）と前記サンプリングデバイス（１１８）との間でクランプされる、前記抽出システム。
【請求項２３】
前記生物学的サンプル（１１２）が、生物又は生命体から、好ましくは無傷の部分、好ましくは植物又は植物の一部として採取されたサンプルを含む、請求項２２に記載の抽出システム。
【請求項２４】
前記生物学的サンプル（１１２）が生細胞を含む、請求項２２又は２３に記載の抽出システム。
【請求項２５】
好ましくは請求項１〜２１のいずれかに記載の抽出デバイス（１１０）を使用することによって、少なくとも一つの成分を生物学的サンプル（１１２）から抽出するため、具体的には少なくとも一種の代謝物質を植物標本から抽出するための方法であって、液体充填器（１１６）が前記サンプル（１１２）の第一の側面（１２２）と接触し、抽出液（１２８）、具体的には少なくとも一種の溶媒が、前記液体充填器（１１６）を使用することによって前記サンプル（１１２）の前記第一の側面（１２２）に適用され、さらに少なくとも一つのサンプリングデバイス（１１８）が使用され、前記サンプリングデバイス（１１８）が前記サンプル（１１２）の第二の側面（１２４）と接触し、サンプル流体（１２６）が前記抽出液（１２８）を含み、前記成分が前記サンプリングデバイス（１１８）を使用することによって収集される、前記方法。
【発明の詳細な説明】
【技術分野】
【０００１】
本発明は、生物学的サンプルから少なくとも一つの成分を抽出するための抽出デバイス及び方法に関する。さらに、本発明は、抽出デバイスと生物学的サンプルとを含む抽出システムに関する。本発明による抽出デバイス、抽出システム及び方法は、好ましくは、トランスジェニック植物系統の開発等の植物の開発の分野、並びに肥料、殺有害生物剤、除草剤、成長エンハンサ、及び他の化合物の開発等、化合物並びに植物及び植物エンティティに対する処理方法の開発の分野において使用される。さらに、本発明は、一つ又は複数の外的影響がいくつかの植物に与える潜在的影響を検出するため、及び／又は毒物学的又は薬剤学的影響等、いくつかの植物又は植物の部分の潜在的影響を検出するために、使用されて良い。その上、本発明は、植物育種分野におけるトランスジェニック植物系統の開発のため等、植物バイオテクノロジーの分野において使用されて良い。
【背景技術】
【０００２】
植物生物学、殺有害生物剤及び肥料の開発の分野、並びに毒物学の分野では、植物の生化学的成分の評価及び特に植物の代謝の研究が、広範囲で使用されるツールとなっている。したがって、特にある種の植物及び植物エンティティに対する処理の開発の分野では、植物の代謝、特にマーカーとして使用されているある種の代謝物質は、色、植物の成長、植物の体積又は根の体積等、植物の外部の信号を単に観察することに加えて又はそれ代えて、これらの処理に対する植物の反応への重要な洞察を提供することができる。同様に、植物育種又は作物改良のためのトランスジェニック植物系統の特性化及び開発の分野では、植物の代謝が、植物の成長、発達又は最終収量を含む表現型を単に観察することに加えて又はそれに代えて、植物の発達又は潜在性能への重要な洞察を提供することができる。したがって、ある種の代謝物質マーカーを評価することによって、表現型の変化のような外部の兆候が利用可能になるよりずっと以前に、植物の発達及び／又は反応を予測することさえも可能となる。さらに例えば、ある種の代謝物質マーカーの増減を、他の知られている処理における代謝の増減と比較することによって、ある種の化合物による処置等、当該の処理の植物への効果、例えば発達又はパフォーマンスを予測することができる。ある種の代謝物質反応を分類することによって、処理がクラスタ化され、類似する効果を有する新しい処理が、単に類似する代謝物質のパターンを探索することによって見出され得る。
【０００３】
これら全ての研究のために、植物サンプルから代謝物質を抽出するための信頼性のあるデバイス及び方法が必要とされる。通例、植物の葉からのサンプル等、植物本体からサンプルを切断することによって、植物のサンプルが採取される。サンプルは、例えば、粉砕するか、圧潰するか、又はサンプルの外部構造を分解するのに適した他の技術によって、適切な容器の中で分解される。一種又は複数種の溶媒が、抽出されるべき植物の成分を溶解させるために加えられる。最後に、一つ又は複数の成分を含有する溶媒が、ろ過及び／又は遠心分離法等によって、サンプルから分離される。一つ又は複数の成分を含有するこれらの溶媒がさらに、分光法、化学分析、質量分析、ガスクロマトグラフィ、液体クロマトグラフィ、又は列挙された方法の組合せによる等、典型的な分析方法によって評価されて良い。
【０００４】
しかしながら、これらの知られている、サンプルから一つ又は複数の成分を抽出するための方法は、いくつかの点でサンプルに対して不利であり且つ有害である。したがって、サンプルの調製にはかなりの時間がかかり、酸化又は他の化学反応等によってサンプルの成分が変化するのに十分な時間、放置される。さらに、サンプルを残存する植物から切断することが、植物に応力を与えること等によって植物のサンプル自体を変化させ、それゆえ、代謝物質反応の結果を潜在的にゆがめる可能性がある。
【発明の概要】
【発明が解決しようとする課題】
【０００５】
それゆえ、本発明の目的は、知られているデバイス及び方法の欠点を少なくとも部分的には回避する、生物学的サンプルから少なくとも一つの成分を抽出するためのデバイス及び方法を提供することにある。具体的には、サンプル調製に時間がかかることなく、サンプル及び／又は残存する生物学的エンティティ自体に与える影響を最小にする、速やかで信頼性のある抽出方法が提供されるべきである。
【課題を解決するための手段】
【０００６】
この問題は、独立クレームによる、生物学的サンプルから少なくとも一つの成分を抽出するための抽出デバイス及び方法によって解決される。単独で、又は他の好ましい実施形態のうちの一つもしくは複数と組み合わせて実現され得る、本発明の好ましい実施形態が、従属クレームにおいて開示される。
【０００７】
以下において、用語「有する（have）」、「含む（contain）」及び「備える（comprise）」、並びにそれらの文法的変異が、非排他的方法で使用される。したがって、「ＡはＢを有する」、「ＡはＢを含む」及び「ＡはＢを備える」という表現は、ＡはＢのみから構成され、他のいかなる成分又は組成物を持たない場合と、Ａは、Ｂの他に一つ又は複数の他の成分又は組成物を含む場合との両方を包含することができる。
【０００８】
本発明の第一の態様では、生物学的サンプルから少なくとも一つの成分を抽出するための抽出デバイスが開示される。この開示において使用するように、抽出デバイスは、好ましくは一種又は複数種の液体溶媒及び／又は気体溶媒を使用することによって、少なくとも一つの成分を抽出するのに好適な任意の装置又は装置の組合せを備えることができる。
【０００９】
本明細書で使用するような用語「生物学的サンプル」は、好ましくは、全ての生体源からの生体材料を含むサンプルに言及することができる。生体材料が代謝物質を含むことが理解されよう。
【００１０】
生物学的サンプルは、生物又は生命体から採取され得る任意のサンプル、好ましくは植物から採取され得るサンプルを含むことができる。生物学的サンプルは、好ましくは生細胞を含むことができる。サンプルは、好ましくは担体要素を供給する必要なしに、生物又は生命体の自立部分等、生物又は生命体の完全な又は全体の部分を含むことができることが好ましい。したがって、生物学的サンプルは、好ましくは、生物又は生命体の一部のみから構成されて良い。好ましい実施形態として、生物又は生命体の一部分が、調整又は処理のさらなるステップなしに、無傷の部分として生物又は生命体から直接採取される。本明細書で使用するように、用語「調整すること」及び処理することは、具体的には、抽出デバイスを使用して生物学的サンプルから成分を抽出する前に、例えば生物学的サンプルを凍結又は凍結乾燥することによって生物学的サンプルを保存する手段として理解されて良い。したがって、好ましくは、生物学的サンプルは、植物から採取されて良く、少なくとも一つの成分を抽出する前に生物学的サンプルを凍結又は凍結乾燥する何らかの中間ステップを行うことなく、本発明による抽出デバイス及び／又は本発明による抽出方法を使用することによって、抽出プロセスを受けることができる。
【００１１】
さらなる実施形態では、生物又は生命体から直接採取された、生物又は生命体の一部分は、依然として組織培養による増殖を受けることができる。好ましくは、少なくとも一つの成分の抽出処理の少なくとも最初は、生物学的サンプルは、依然として生きており、又は生細胞等の生命体を含む。したがって、好ましくは、少なくとも一つの成分の抽出処理の少なくとも最初は、生物学的サンプルから採取された細胞培養及び／又は組織培養の増殖等によって、生物学的サンプル又はその一部分を再生することが、依然として可能である。
【００１２】
抽出デバイスを使用することによって生物学的サンプルから少なくとも一つの成分を抽出する前に、生物の一部分は、さらなる操作を受けることができる。より好ましくは、生物の一部分のサイズが、抽出前に、抽出デバイスの大きさに対して調節されて良い。したがって、具体的には、生物学的サンプルのサイズ及び／又は寸法は、液体充填器とサンプリングデバイスとの間の抽出デバイスのサンプル空間の寸法等、抽出デバイスに適合されて良い。生物学的サンプルのサイズ及び／又は寸法を適合させるために、切断プロセス等、任意の知られている方法が使用されて良い。
【００１３】
非限定的な例として、葉、幹、茎、根、貯蔵根、枝、花部、花、果実序、果実、穂、穂軸、種子、又は植物から採取される他のサンプルが列挙され得る。
【００１４】
好ましい一実施形態では、生物学的サンプルは、栽培箱又は温室のような制御された環境の中で成長する植物の無傷の一部分であって良く、又はその一部分を含んで良い。
【００１５】
別の好ましい実施形態では、生物学的サンプルは、栽培箱又は温室のような制御された環境における土壌又水耕システムの中で成長する植物の無傷の一部分であって良く、又はその一部分を含んで良い。
【００１６】
別の好ましい実施形態では、生物学的サンプルは、田畑の中で成長する植物の無傷の一部分であって良く、又はその一部分を含んで良い。田畑は、植物が、それらの反応もしくはパフォーマンスを監視するために非生物的もしくは生物的ストレスを植物に与える特殊な栽培体制のもとで栽培される試験田畑か、又は植物が、後に収穫するために農家によって栽培される通常の田畑のいずれであっても良い。
【００１７】
別の好ましい実施形態では、生物学的サンプルは、育種集団に属する植物の無傷の一部分であっても良いし、それを含んでも良い。
【００１８】
別の好ましい実施形態では、生物学的サンプルは、トランスジェニック植物に属する植物の無傷の一部分であっても良いし、それを含んでも良い。
【００１９】
本明細書で使用するように、用語「植物」は、広範囲の単子葉植物又は双子葉植物、好ましくは、トウモロコシ、小麦、ライ麦、オート麦、ライ小麦、米、大麦、ソルガム、サトウキビ、大豆、ピーナッツ、綿、菜種及び菜種油、マニホット、コショウ、ヒマワリ及びマンジュギク、砂糖大根、ナス科作物（ジャガイモ、タバコ、ナス及びトマト等）、ソラマメ属、エンドウ、アルファルファ、低木植物（コーヒー、カカオ、ティー）、ヤナギ属、木（油ヤシ、ココナツ）、多年生牧草、並びに飼料作物のような植物に言及することができる。飼料作物は、限定はしないが、ウィートグラス、クサヨシ（Canarygrass）、ブロムグラス、ワイルドライグラス、イチゴツナギ（Bluegrass）、オーチャードグラス、アルファルファ、サルフォイン、バーズフットトレフォイル、タチオランダゲンゲ（Alsike Clover）、ムラサキツメクサ（Red Clover）、及びスイートクローバーを含む。より好ましくは、本明細書で使用する「植物」は、米、大豆、トウモロコシ、綿、菜種油、小麦、砂糖大根及びサトウキビに言及する。
【００２０】
少なくとも一つの成分は、生物学的サンプル内に存在する可能性がある任意の成分を含むことができる。好ましくは、少なくとも一つの成分が、一種又は複数種の代謝物質を含むことができる。したがって、好ましくは、抽出デバイスは、好ましくは選択的に、好ましくは高度選択性を有して、植物標本から一種又は複数種の代謝物質を抽出するために使用されて良く、又は適合されて良い。
【００２１】
本明細書で使用する用語「代謝物質」は、代謝経路の酵素に対する基質、そのような経路の中間体、又は代謝経路によって得られる生成物等、小分子化合物に言及する。代謝経路は、当技術分野で良く知られており、種の間で変わる可能性がある。好ましくは、前記経路は、少なくともクエン酸回路、呼吸鎖、光合成、光呼吸、糖分解、糖新生、ヘキソース一リン酸経路、酸化的ペントースリン酸経路、還元的ペントースリン酸経路、脂肪酸の生産物及びβ酸化、尿素サイクル、アミノ酸生合成経路、プロテアソーム分解等のタンパク質分解経路、アミノ酸分解経路、以下の生合成又は分解：脂質、ポリケチド（例えば、フラボノイド及びイソフラボノイドを含む）、イソプレノイド（例えば、テルペン、ステロール、ステロイド、カロチノイド、キサントフィルを含む）、炭水化物、フェニルプロパノイド及び誘導体、アルカロイド、ベンゼノイド、インドール、インドール−硫黄化合物、ポルフィリン、アントシアン、植物ホルモン等のホルモン、ビタミン、補欠分子族又は電子担体等の共同因子、リグニン、グルコシノレート、プリン、ピリミジン、ヌクレオシド、ヌクレオチド及びｔＲＡＮ、ミクロＲＮＡ（ｍｉＲＮＡ）又はｍＲＮＡ等の関連分子、を含む。したがって、小分子化合物の代謝物質は、好ましくは、以下の化合物群：アルコール、アルカン、アルケン、アルキン、芳香族化合物、ケトン、アルデヒド、カルボン酸、エステル、アミン、イミン、アミド、シアン化物、アミノ酸、ペプチド、チオール、チオエステル、リン酸エステル、硫酸エステル、チオエーテル、スルホキシド、エーテル、又は上述の化合物の組合せもしくは誘導体、からなる。代謝物質間の小分子は、正常な細胞機能、臓器機能、又は植物の発育、成長もしくは健康に必要な一次的代謝物質であって良い。その上、小分子代謝物質は、基本的な生態学的機能を有する二次的代謝物質、例えば有機体がその環境に適合することを可能にする代謝物質をさらに含む。さらに、代謝物質は、前記一次的及び二次的代謝物質に限定されず、人工的小分子化合物をさらに包含する。前記人工的小分子化合物は、有機体によって処理されるか又は吸収される、細胞外に供給された小分子から導出されるが、上述のような一次的又は二次的代謝物質ではない。例えば、人工的小分子化合物は、植物の代謝経路によって、肥料、殺有害生物剤、除草剤、又は成長エンハンサから等、広範囲の様々な化合物から得られる代謝生成物であって良い。その上、代謝物質は、ペプチド、オリゴペプチド、ポリペプチド、オリゴヌクレオチド、及びＲＮＡ又はＤＮＡ等のポリヌクレオチドをさらに含む。より好ましくは、代謝物質は、５０Ｄａ（Ｄａｌｔｏｎ）から３０，０００Ｄａ、最も好ましくは３０，０００Ｄａ未満、２０，０００Ｄａ未満、１５，０００Ｄａ未満、１０，０００Ｄａ未満、８，０００Ｄａ未満、７，０００Ｄａ未満、６，０００Ｄａ未満、５，０００Ｄａ未満、４，０００Ｄａ未満、３，０００Ｄａ未満、２，０００Ｄａ未満、１，０００Ｄａ未満、５００Ｄａ未満、３００Ｄａ未満、２００Ｄａ未満、１００Ｄａ未満までの分子量を有する。しかしながら、好ましくは、代謝物質は、少なくとも５０Ｄａの分子量を有する。最も好ましくは、���発明による代謝物質は、５０Ｄａから１，５００Ｄａまでの分子量を有する。
【００２２】
抽出デバイスは、少なくとも一つの液体充填器を有する。本発明で使用するように、液体充填器は、サンプルの第一の側面と接触するように適合され、サンプルの第一の側面に抽出液を適用するように適合された任意の装置又は装置の組合せであって良い。液体充填器とサンプルとの間の接触は、直接的であっても良いし、間接的であっても良い。いかなる形においても、接触は、抽出液がサンプルに、好ましくは圧力下で、好ましくは抽出液の少なくとも一部をサンプルの内部に押し込むことによって、好ましくは、サンプルの一つ又は複数の表面を貫くこと、例えば植物の葉の一つ又は複数の表面を貫くこと等によってサンプルを通り抜けるように適用できるようにあるべきである。抽出液を供給するのに適した液体充填器又は液体充填器の一つ又は複数のオリフィスがサンプルの一つ又は複数の表面と直接接触している直接接触の代替として、好ましくは、液体充填器によって供給される抽出液が、サンプルの一つ又は複数の表面に向けて案内され、それにより抽出液が適用の方向に垂直な方向に横に広がることが少なくとも部分的には回避される接触である間接接触が、提供されて良い。したがって、少なくとも一つのＯリング又は他の封止エレメント等、一つ又は複数の封止エレメントが液体充填器とサンプルの表面との間に介在することによって、間接接触がもたらされて良い。直接接触であれ、間接接触であれ、いずれの場合にも、液体充填器は、サンプルの少なくとも一つの表面に抽出液を供給するように適合されるべきである。
【００２３】
抽出液は、任意の流体媒体、即ち、以下に標的成分と名付けられる少なくとも一つの成分を抽出、好ましくは選択的に抽出するのに好適であり得る少なくとも一つの液体媒体及び／又は気体媒体であっても良いし、それを含んでも良い。サンプルから一つの成分を正確に抽出すること以外に、二種以上の代謝物質の組合せ等、成分の組合せが抽出されて良い。好ましくは、抽出液は、水性溶媒及び／又は非水溶媒等、少なくとも一つの溶媒を含む。好ましくは、溶媒は、水等の水性溶媒；又は無水溶媒、例えば有機溶媒、好ましくは、例えばメタノール、エタノール、１−プロパノール、２−プロパノール、ブタノール、ペンタノール、ヘキサノールもしくはアセトン、アセトニトリル、酢酸エチル、ジメチルスルホキシドもしくはＮ，Ｎ−ジメチルホルムアミド等の１個から６個の炭素原子の残りのアルキルを有する一種もしくは複数種のアルキルアルコール、又は例えばクロロホルム、塩化メチレン（ジクロロメタン）、四塩化炭素、ジクロロエタン（特にクロロホルム、塩化メチレン、四塩化炭素）等のハロゲン化溶媒、又は例えばヘキサン、シクロヘキサン、ペンタン、ヘプタン、他等の脂肪族溶媒、又は例えばトルエン、ベンゼン等の芳香族溶媒、又は例えばｔｅｒｔ−ブチルメチルエーテル、ジエチルエーテル、テトラヒドロフラン等のエーテル；又は好ましくは、ＨＦ、ＨＩ、ＨＣＩ、ＢＦ３、ＢＣｌ３、ＨＢｒ、ＨＣｌＯ４、Ｈ２ＳＯ４、Ｈ３ＰＯ４、とりわけＨＩ、ＨＣｌ、ＨＢｒ、ＨＣｌＯ４から選択される無機酸等の無機溶媒；又はギ酸、酢酸、トリフルオロ酢酸、トリクロロ酢酸等の有機酸；及び／又は、好ましくは水酸化ナトリウム、水酸化カリウム、炭酸ナトリウム、炭酸水素ナトリウム、酢酸アンモニウム、ギ酸アンモニウム、炭酸水素アンモニウム、もしくは炭酸アンモニウムから選択される塩基、から選択されて良い。さらに、列挙された溶媒及び／又は他の溶媒の組合せが使用されて良い。
【００２４】
上述のように、抽出液は、一種又は複数種の溶媒を含んで良い。二種以上の溶媒が使用される場合は、溶媒は、同時に（一定の混合比又は例えば勾配に応じて変化する混合比を用いる等）、及び／又は異なる時間に使用しても良いし、遅延させても良い。二種以上の溶媒が同時に使用される場合、特に、二種以上の溶媒の混合物が使用されて良い。したがって、好ましい実施形態では、抽出液は、少なくとも二種の溶媒の混合物を含むことができる。溶媒の混合物を使用する抽出は、一般に、欧州特許第１４４６２０９号明細書によって知られる。したがって、抽出デバイスは、二種以上の溶媒の混合物を含有する抽出液を供給するように適合されて良い。抽出デバイスは、抽出液として使用されるため又は抽出液の成分として使用されるために、一種、二種、もしくは三種以上の溶媒を貯蔵するための一つ又は複数の液体容器を備えることができる。さらに、抽出デバイスは、二種以上の溶媒を好ましくは所定の混合比において（例えば、特にバッチモードの使用に対して又は勾配モードの使用に対して）混合するための一つ又は複数の混合ユニットを備えることができる。
【００２５】
好ましくは、少なくとも一種の混合物が、少なくとも一種の水性溶媒及び少なくとも一種の非水溶媒を含むことができる。特に、混合物は、少なくとも一種の水等の水性溶媒と、少なくとも一種のアルキルアルコール等の非水溶媒とを含むことができる。より好ましくは、混合物は、メタノールと水とを、好ましくは５０Ｖｏｌ−％：５０Ｖｏｌ−％〜９０Ｖｏｌ−％：１０Ｖｏｌ−％の混合比で、及びより好ましくは８０Ｖｏｌ−％：２０Ｖｏｌ％の混合比で含む。別の実施形態では、抽出液は、少なくとも二種の溶媒の混合物を含んで良く、少なくとも二種の溶媒は、非水溶媒であり、特に非水溶媒は、アルキルアルコール及びハロゲン化溶媒の群から選択されて良い。好ましくは、抽出液は、好ましくは２０Ｖｏｌ％：８０Ｖｏｌ％〜６０Ｖｏｌ％：４０Ｖｏｌ％の混合比で、及びより好ましくは４０Ｖｏｌ％：６０Ｖｏｌ％の混合比で、メタノール及びジクロロメタンの二種の溶媒の混合物を含むことができる。
【００２６】
上記で略述したように、少なくとも二種の溶媒が、生物学的サンプルの第一の側面に同時に及び／又は遅延を伴って適用されて良い。したがって、本発明の一実施形態では、サンプルから少なくとも一つの成分を抽出するために、二種以上の溶媒を含有する少なくとも一種の抽出液が、生物学的サンプルの第一の側面に適用されて良い。代替又は追加として、さらなる実施形態では、本発明による抽出デバイス及び／又は方法が、少なくとも一種の第一の抽出液及び少なくとも一種の第二の抽出液等、少なくとも二種の異なる種類の抽出液を第一の側面に後で供給するように適合されて良い。各抽出液は、好ましくは、溶媒の混合物等、一種、二種又は三種以上の溶媒を含むことができる。液体供給管路が、少なくとも二種の異なる抽出液を備えられて良い。好ましくは、少なくとも二種の異なる抽出液が、後で、同じサンプルの第一の側面に適用される。より好ましくは、第一の抽出液が少なくとも二種の溶媒を含んで良く、一方の溶媒は非水溶媒であり、他方の溶媒は水性溶媒であり、第二の抽出液が二種の非水溶媒を含んで良い。より好ましくは、第一の抽出液が単相性の極性溶媒混合物であり、第二の抽出液が単相性の非極性溶媒混合物である。第一の抽出液は、メタノールと水とを、好ましくは５０Ｖｏｌ−％：５０Ｖｏｌ−％〜９０Ｖｏｌ−％：１０Ｖｏｌ−％の混合比で、及びより好ましくは８０Ｖｏｌ−％：２０Ｖｏｌ％の混合比で含んで良く、第二の抽出液は、好ましくは、メタノールとジクロロメタンとを好ましくは２０Ｖｏｌ−％：８０Ｖｏｌ−％〜６０Ｖｏｌ％：４０Ｖｏｌ％及びより好ましくは４０Ｖｏｌ％：６０Ｖｏｌ％の混合比で含んで良い。したがって、第一の抽出液は、メタノールと水とを、８０Ｖｏｌ−％：２０Ｖｏｌ−％の混合比で含んで良く、第二の抽出液は、メタノールとジクロロメタンとを４０Ｖｏｌ−％：６０Ｖｏｌ−％の混合比で含んで良い。
【００２７】
少なくとも一種の第一の抽出液及び少なくとも一種の第二の抽出液等、少なくとも二種の抽出液が後で使用される場合、本発明による抽出デバイス及び／又は方法は、抽出プロセスの少なくとも一つの第一の段階と、抽出プロセスの少なくとも一つの第二の段階とを実施するように適合されて良く、第一の段階の間に第一の抽出液が生物学的サンプルの第一の側面に適用され、第二の段階の間に第二の抽出液が生物学的サンプルの第一の側面に適用される。これら少なくとも二つの段階は、分離性であって良い。したがって、第一の段階が実施され、第一の段階が終了した後、直ちに、又は少なくとも一つの休止もしくは停止を実施した後で、第二の抽出液が第一の側面に適用されて良く、休止中、抽出液は第一の側面に適用されない。しかしながら、他の実施形態が実行可能である。したがって、少なくとも一つの中間段階の間に、第一の段階と第二の段階とが重なることすら可能である。したがって、第二の段階は、第一の段階が依然として行われているときに開始することができる。中間段階の間、第一の抽出液及び第二の抽出液の両方が、生物学的サンプルの第一の側面に適用されて良い。
【００２８】
さらに、生物学的サンプルの第一の側面に適用される少なくとも一種の抽出液の内容物及び／又は組成物は、抽出プロセスを通して一定であって良い。  別の実施形態では、生物学的サンプルの第一の側面に適用される少なくとも一種の抽出液の内容物及び／又は組成物は、抽出プロセスにわたって変化して良い。そのときに、少なくとも一種の抽出液の組成物の段階的又は連続的変化が実行可能である。したがって、抽出液の少なくとも一つの成分の内容物の時間的変動及び／又は時間的勾配が実現されて良い。一例として、抽出液に含有される少なくとも一種の溶媒の内容物が、ある期間にわたって段階的又は連続的に増減することができる。
【００２９】
上記で略述したように、抽出デバイス及びより具体的には液体充填器は、一種又は複数種の溶媒の内容物等、抽出液の一種又は複数種の成分の内容物を制御すること等によって、少なくとも一種の抽出液の組成物を制御するように適合された少なくとも一つの抽出液供給ユニット等、少なくとも一つの液体供給デバイスを備えることができる。さらに、少なくとも一つの液体供給デバイスは、所定の変動計画等によって、少なくとも一種の抽出液の組成物を時間と共に変化させるように適合されて良い。液体供給デバイスは、好ましくは、適切な溶媒を貯蔵するための二つ以上の供給容器に主供給管路を接続するための弁等、抽出液の組成物を調整するための一つ、二つ又は三つ以上の弁を備えることができ、それにより、適切な弁を調整することによって抽出液の組成物を制御することが可能になる。弁は、好ましくは、電子制御可能及び／又はコンピュータ制御であって良い。好ましくは、液体供給デバイスは、少なくとも一つのデータ処理デバイス、例えば、所定の計画又はプログラムによって抽出液の組成物を制御するように適合されて良いマイクロコントローラ等、制御ユニットを備えることができる。制御ユニットは、好ましくは、抽出液の組成物を制御するために、少なくとも一つのソフトウェア制御のプログラムを実行するように適合されて良い。
【００３０】
少なくとも一種の抽出液の液体供給は、抽出デバイスの一部であることができる。したがって、抽出デバイスは、一つ又は複数のオリフィス、一つ又は複数の液体導管、圧力下で抽出液を供給するための一つ又は複数のポンプ、抽出液の補給液を貯蔵することができる一つ又は複数の貯留器等の供給源、又は列挙されたエレメント及び／又は他のエレメントの任意の組合せを含むことができる。一種又は複数種の抽出液を同時に供給することによる等、少なくとも一種の抽出液を一ステップで供給する可能性以外に、同種又は異種のいくつかの抽出液が、いくつかステップを有する手順を提供すること等によって、後で供給されて良く、ステップのそれぞれにおいて新しい抽出液が供給される。
【００３１】
抽出デバイスはさらに、少なくとも一つのサンプリングデバイスを有する。本発明で使用するようなサンプリングデバイスは、サンプルの第二の側面と接触するように適合され、少なくとも一種の抽出液及び少なくとも一つの成分を含むサンプル流体を収集するように適合された、任意の装置及び／又は装置の組合せを備えることができる。したがって、抽出デバイスは、抽出液の少なくとも一部を、サンプルの少なくとも一部を通り過ぎた後、及び少なくとも一つの標的成分を吸収及び／又は溶解する等で集めた後で収集するように適合されて良い。したがって、以下において、サンプル流体という用語は、少なくとも一種の抽出液及び少なくとも一つの標的成分を含む、任意の種類の液体及び／又は気体状の流体に対して使用される。
【００３２】
液体充填器と同様に、サンプリングデバイスは、サンプルの第二の側面と直接又は間接に接触するように適合されて良い。したがって、サンプリングデバイスは、第二の側面と直接接触するように適合され得る、サンプル流体を収集するように適合された一つ又は複数のサンプリングオリフィスを備えることができる。代替として、少なくとも一つの封止エレメント及び／又はサンプル液体をサンプリングデバイスに案内するように適合された案内エレメント等、一つ又は複数のエレメントが、サンプリングデバイスと第二の側面との間に介挿されて良い。やはり、一つ又は複数のＯリングが、サンプル流体がサンプリングデバイスによって収集されることなくサンプルを離れることを防ぐために使用されて良い。
【００３３】
サンプル流体が収集される第二の側面は、好ましくは、第一の側面とは異なることができる。したがって、第二の側面は、好ましくは、サンプルの、第一の側面と対向する側面であって良い。したがって、サンプルが植物の葉又は葉の一部である場合、第一の側面が葉の上側を含み、一方第二の側面が葉の下側を含んで良く、又はその反対であって良い。好ましくは、第一の側面及び第二の側面は、抽出液が液体充填器からサンプリングデバイスまで直線的にサンプルを通過することができるように、互いに対向している。しかしながら、他の幾何学的形状及び実施形態が可能である。
【００３４】
液体充填器及びサンプリングデバイスは、好ましくは、少なくとも一つの接続機構によって接続される。好ましくは、この接続機構は、機械的接続を備えることができる。接続機構は、液体充填器とサンプリングデバイスとの間の距離を変化させるように、且つ液体充填器とサンプリングデバイスとの間に配置されるサンプルにクランプ力を加えるように適合されて良い。
【００３５】
液体充填器とサンプリングデバイスとの間の距離を変化させるように適合された接続機構は、いくつか方法で実現され得る。したがって、接続機構は、手動又は自動で距離を変化させるように適合された少なくとも一つのアクチュエータを備えることができる。したがって、接続機構は、一つ又は複数の案内レール、一つ又は複数の案内棒、一つ又は複数のリニアアクチュエータ、一つ又は複数の平行移動段等の段、一つ又は複数の枢動エレメント、又は列挙されたエレメント及び／又は他のエレメントの組合せ等、液体充填器とサンプリングデバイスとの間の相対位置及び／又は相対的な向きを変更するように適合された一つ又は複数の案内エレメントを備えることができる。
【００３６】
好ましくは、接続機構は、液体充填器とサンプリングデバイスとの間に介挿され得る少なくとも一つのヒンジを有する。この少なくとも一つのヒンジは、液体充填器とサンプリングデバイスを、少なくとも一つの枢動軸周りに、互いに対して枢動させるように適合されて良い。
【００３７】
代替又は追加として、接続機構は、液体充填器とサンプリングデバイスとの相対運動、好ましくは直線的相対運動を可能にする少なくとも一つのレールエレメントを有することができる。本明細書で使用するように、相対運動という用語は、液体充填器が静止してサンプリングデバイスが動かされる場合、液体充填器が動かされてサンプリングデバイスが静止する場合、及び液体充填器及びサンプリングデバイスが共に動かされる場合のいずれにも言及することができる。
【００３８】
さらに、本明細書で使用するように、レールエレメントという用語は、相対運動を案内するように適合された任意のエレメントに言及することができる。最も好ましくは、レールエレメントは、少なくとも一つの案内棒を有することができる。少なくとも一つの案内棒は、全体的に又は部分的に液体充填器の一部であって良く、且つ／又は全体的に又は部分的にサンプリングデバイスの一部であって良く、且つ／又は全体的に又は部分的に単独のコンポーネントで形成されて良く、又は抽出デバイスの単独のコンポーネントの一部であって良い。案内棒は、円形又は非円形の断面を有して良く、少なくとも一本の長い棒であって良く、又はそれを含んで良い。サンプリングデバイス及び／又は液体充填器は、少なくとも一つの案内棒又は少なくとも一つの案内棒の一部を収納することができる一つ又は複数の止まり穴又は貫通穴等、一つ又は複数の孔又は穴を含有することができる。そのときに、案内棒は、少なくとも一つの穴もしくは孔の内部に固定されて良く、又は少なくとも一つの孔もしくは穴の内部で動くことができる。
【００３９】
一実施形態では、好ましくは、上述のレールエレメントに関連して、液体充填器及び／又はサンプリングデバイスが生物学的サンプルに押印力を与えるスタンプとして作用することができるように、接続機構が設計されて良い。したがって、一実施形態では、サンプリングデバイスが生物学的サンプルを受けるアンビルとして作用し、且つ液体充填器が生物学的サンプルを第一の側面から押印するスタンプとして作用することができ、又はその反対も可能である。押印動作又は押印運動は、上述の接続機構、好ましくはレールエレメント、より好ましくは一つ又は複数の案内棒もしくは他の種類の案内レールによって支持又は案内されて良い。
【００４０】
接続機構はさらに、少なくとも一つのばねエレメントを有することができる。本明細書で使用するように、ばねエレメントという用語は、伸縮ばね、コイルばね、タン（tongue）、エラストマーばねエレメント、又は列挙されたばねエレメントのうちの二つ以上の組合せ等、少なくとも部分的に弾性特性を有する任意のエレメントに言及することができる。ばねエレメントは、液体充填器とサンプリングデバイスとを分離する分離力を加えるように適合されて良い。したがって、少なくとも一つのばねエレメントが液体充填器とサンプリングデバイスとの間に配置されて良く、液体充填器及び／又はサンプリングデバイスに少なくとも一つの分離力を加え、それにより生物学的サンプルを介挿するために液体充填器とサンプリングデバイスとの間に空間を開けるために、液体充填器とサンプリングデバイスとを押し開くことができ、又は押し開くように試みることができる。したがって、少なくとも一つのばねエレメントは、少なくとも一つの案内棒等、上述の少なくとも一つの随意のレールエレメントを全体的又は部分的に取り巻く少なくとも一つのコイルばねを備えることができる。
【００４１】
液体充填器とサンプリングデバイスとの間の距離の変動は、液体充填器とサンプリングデバイスとの相対位置が一又は複数の次元で変化するのを包含することができる。したがって、距離の変動は、列挙されたエレメントの間の距離の、一次元又は多次元における変化を包含することができ、且つ／又は液体充填器とサンプリングデバイスとが少なくとも一つの回転軸周りに、互いに対して回転するのを包含することができる。代替又は追加として、距離の変動は、液体充填器とサンプリングデバイスとの直線的な相対運動を包含することができ、液体充填器及びサンプリングデバイスが共に動くことができるか又は、液体充填器かサンプリングデバイスのいずれかが動くことができる。
【００４２】
ひとたびサンプルがこれらのエレメントの間でクランプされると、クランプ力は、液体充填器及び／又はサンプリングデバイスによってサンプルに加えられる任意の力を包含することができる。好ましくは、接続機構は、サンプルの厚さとは無関係に、圧力をサンプルに均一にかけることを可能にするように適合される。均一にという用語は、抽出デバイスによってサンプルに加えられるクランプ力及び／又は圧力が、クランプ力が加えられる任意の面積の中で同じか又は少なくとも同様である任意の状況を含むことができる。２０％まで、好ましくは１０％以下、最も好ましくは５％以下の圧力の変動が容認可能であり、本発明で使用する、均一にという用語のもとでやはり要約することができる。加えられる圧力がサンプルの厚さとは無関係である、言及された実施形態は、いくつか方法で達成され得る。第一に、この独立性は、０から３０ｍｍまで（即ち、０ｍｍより大で３０ｍｍ以下）のサンプルの厚さ、好ましくは０から２０ｍｍまで（即ち、０ｍｍより大で２０ｍｍ以下）のサンプルの厚さ、好ましくは０から１０ｍｍまで（即ち、０ｍｍより大で１０ｍｍ以下）のサンプルの厚さ、及び最も好ましくは０から５ｍｍまで（即ち、０ｍｍより大で５ｍｍ以下）のサンプルの厚さの受け入れ範囲等、サンプル厚さの一定の受け入れ範囲内で適用され得る。サンプルの厚さとは無関係に均一に圧力を加えることは、例えば、上で列挙された案内エレメントのうちの一つ又は複数等、適切な案内エレメントを、液体充填器とサンプリングデバイスとの間の距離に適合させるために設けることによって達成され得る。したがって、距離を変化させるための一つ又は複数の直線的な段が設けられて良く、且つ／又はサンプリングデバイスと液体充填器とが、パイプトング（pipe tong）のチョップ（chop）又は顎が互いに接続される方式で、互いに接続されて良く、液体充填器とサンプリングデバイスとの間の直線的距離及び角度を同時に適合させることが可能になる。圧力を均一に加えることをもたらすように適合された他の接続機構が、可能である。
【００４３】
一般に、抽出液の供給の方向に直角に交わる生物学的サンプルの面積等、抽出デバイスを使用することによって抽出液が適用され得るサンプルの面積であるサンプリング面積は、広範囲にわたって変化することができる。したがって、サンプリング面積は、１ｍｍ２から５０ｃｍ２まで、好ましくは５ｍｍ２から１０ｃｍ２までの範囲に入ることができる。しかしながら、他のサンプリング面積が実現されて良い。
【００４４】
上記で略述したように、液体充填器とサンプリングデバイスとは、いくつか方法で接続されて良い。最も好ましくは、抽出デバイスは、一つ又は複数のグリッパー（gripper）を備える。したがって、液体充填器及びサンプリングデバイスは、単独で、又は一つもしくは複数の他のエレメントと組み合わせて、サンプルを把持するためのグリッパー又はペンチ（pincer）を形成することができる。本発明で使用するように、グリッパー又はペンチは、液体充填器とサンプリングデバイスとの間でサンプルを把持し、クランプ力をサンプルに加えるように適合された任意のエレメントを備えることができる。したがって、グリッパー又はペンチは、以下の形状：グリッパー、ペンチ、トング、プライヤ、ハサミ、キャリパー、パイプトング、クランプ、好ましくはねじクランプ及び／又はバークランプ；ピンセット、のうちの一つ又は複数を含むことができる。他の実施形態が可能である。少なくとも一つのグリッパーが、液体充填器及び／又はサンプリングデバイスに一体化されて良く、且つこれらのエレメントのうちの一方又は両方の一部であって良く、あるいはエレメントの一方又は両方が、少なくとも一つのグリッパーの一部であって良い。代替又は追加として、少なくとも一つのグリッパーが、液体充填器及び／又はサンプリングデバイスに作用することができる個別のエレメントであることができる。したがって、グリッパーは、液体充填器をサンプリングデバイスに、又はその反対に、押しつけ、且つ／又は液体充填器及び／又はサンプリングデバイスを生物学的サンプルに押しつけるように適合されたクランプ力を与えることができる。
【００４５】
抽出デバイスは、好ましくは、手持ち式デバイスであって良い。本発明の中で、手持ち式デバイスという用語は、一人の人によって、好ましくは片手で保持及び／又は担持されるように適合された任意のデバイスを含むことができる。抽出デバイスが、液体充填器及びサンプリングデバイス以外にさらなるエレメントを備える場合、液体充填器及びサンプリングデバイス、好ましくはグリッパー又はペンチを備える少なくとも一部が、手持ち式デバイスとなるように設計されるべきである。液体供給源、ポンプ又は他の部品等、抽出デバイスの他の部品は、少なくとも部分的に手持ち式デバイスに一体化されることの代替又は追加として、定置式の実験室コンポーネント等、定置式コンポーネントとなるように設計されて良い。手持ち式デバイスは、好ましくは、５×１０６ｍｍ３を超えず、好ましくは１×１０６ｍｍ３、最も好ましくは０．５×１０６ｍｍ３を超えない体積を有することができる。
【００４６】
上記で略述したように、サンプルの第一の側面即ちそこに抽出液が適用される側面、及び第二の側面即ちそこからサンプル流体が収集される側面はそれぞれ、サンプルの表面の一つ又は複数の位置を含むことができる。好ましくは、第一及び第二の側面は、サンプルの対向する側面である。このことは、抽出液が、液体充填器からサンプリングデバイスまで、好ましくは直線的に通り過ぎることができることを意味する。この直線は、好ましくはサンプルの第一の側面及び／又は第二の側面の表面に本質的に垂直であって良く、垂直な方位から好ましくは２０°以内、好ましくは１０°以内だけの偏差を含む。サンプルの表面は、単純な平坦な表面であって良い。代替又は追加として、サンプルの表面は、圧潰又は粉砕されたサンプルにおけるように、でこぼこ、さらには定形のない表面を含んで良い。最も好ましくは、サンプルは、植物の葉及び／又は葉の一部等、正常な状態の植物の無傷な部分である。
【００４７】
上記で略述したように、液体充填器及び抽出デバイスはそれぞれ、第一の側面又は第二の側面と直接的又は間接的に接触することができる。したがって、液体充填器は、サンプルの第一の側面に押しつけられるように適合された少なくとも一つの第一の封止エレメントを備えることができる。封止エレメントは、抽出液を供給するように適合された液体充填器の少なくとも一つのオリフィスから等、液体充填器から第一の側面まで抽出液を案内するように適合された任意のエレメントを備えることができる。好ましくは、少なくとも一つの第一の封止エレメントが、少なくとも一つのＯリングを備えることができる。
【００４８】
液体充填器は、少なくとも一つの液体供給管路及び少なくとも一つのオリフィスを備えることができる。液体供給管路は、少なくとも一種の抽出液を少なくとも一つのオリフィスに供給するように適合されて良い。液体供給管路はそれ自体、少なくとも一種の抽出液の補給液を保持することができる貯留槽を備えることができる。代替又は追加として、供給管路は、抽出液を供給するための少なくとも一つの液体供給源に直接的又は間接的に接続されるように適合されて良い。少なくとも一つのオリフィスが、好ましくはサンプルの第一の側面と面することができる、液体充填器の少なくとも一つの表面内に任意の種類の開口を備えることができる。この少なくとも一つの開口は、単純な穴の形状、ノズル、一列の穴、格子状の穴、配列状の穴、又は任意の他の形状等、任意の幾何学的形状を有することができる。したがって、少なくとも一つのオリフィスが、抽出液が通り抜けることができる一つ又は複数の穿孔を有する少なくとも一枚の穴あき板を備えることができる。少なくとも一つのオリフィスは、好ましくは、少なくとも一つのＯリングによる等、少なくとも一つの随意の第一の封止エレメントによって完全に取り巻かれて良い。少なくとも一つの封止エレメントは、好ましくは、少なくとも部分的に、柔軟及び／又は変形可能であることができる。したがって、少なくとも一つの第一の封止エレメントは、ゴム等、エラストマー材料を含むことができる。この柔軟及び／又は変形可能な特性が、サンプルの表面の形状を液体充填器の形状に適合させるのを助けることができる。
【００４９】
上記で略述したように、抽出デバイスは、サンプルの第二の側面に押しつけられるように適合された少なくとも一つの第二の封止エレメント、具体的には少なくとも一つのＯリングをさらに備えることができる。少なくとも一つの第二の封止エレメントは、少なくとも一つの第一の封止エレメントと同じ方法で組み入れられて良い。したがって、第一の封止エレメントの上述の随意の特性が、少なくとも一つの第二の封止エレメントに当てはまる。
【００５０】
抽出デバイスは、好ましくは、サンプル流体を収集するように適合された少なくとも一つのサンプル開口を有する。サンプル流体のこの収集は、サンプル流体の任意の受け入れを含むことができ、受け入れは、方向性のある方式であって良く、又は方向性のない方式であって良い。液体充填器の少なくとも一つのオリフィスと同様に、サンプル開口は、任意の形状及び／又は幾何学的配置を有することができる。好ましくは、少なくとも一つのサンプル開口は、液体充填器のオリフィスより大きな直径又は等価な直径を有することができる。オリフィスと同様に、開口は、円形、多角形又は任意の他の形状等、任意の幾何学的形状を有することができる。少なくとも一つの開口は、単一の開口、又は一列及び／又は格子状及び／又は配列状の開口等、複数の開口を含むことができる。このことが、第二の封止エレメントが存在しない実施形態に対するのと同様に、第二の封止エレメントが使用される一実施形態に当てはまる。少なくとも一つの開口は、一定の直径を有する開口を備えることができ、又は好ましくは、第二の側面からのサンプル流体の収集を支援するために、円錐及び／又は漏斗の形状等、サンプル流体の流れの方向に変化する形状を有する開口を備えることができる。
【００５１】
液体充填器は、好ましくは、サンプルの第一の側面に押しつけられるように適合された環状の第一の封止エレメントを有することができる。サンプリングデバイスは、サンプルの第二の側面に押しつけられるように適合された環状の第二の封止エレメントを有することができる。第一及び第二の封止エレメントはそれぞれ、液体充填器又はサンプリングデバイスに接続されて良く、且つ／又はそれらの一部であって良く、あるいは液体充填器及び／又はサンプリングデバイスとは無関係に取り扱われ得る個別のエレメントであって良い。第一及び第二の封止エレメントは、好ましくは、サンプルが間にある状態で、サンプルの対向する両面に互いに押しつけられるように適合され、それによりサンプル内に抽出面積が作り出されるように配列されて良い。しかしながら、他の実施形態が可能である。
【００５２】
サンプリングデバイスは、好ましくは、少なくとも一つのサンプリング容器を有することができ、サンプル流体をサンプリング容器内に少なくとも部分的に案内するように適合されて良い。このサンプリング容器は、一つ又は複数のサンプリング容器を備えることができ、サンプリングデバイスの恒久的な一部であって良く、又は着脱可能であるように適合されて良い。好ましくは、サンプリング容器は、着脱可能にサンプリングデバイス内に配置される。したがって、抽出デバイス及び好ましくはサンプリングデバイスは、少なくとも一つのサンプリング容器に、好ましくは形状係合接続（form-fit connention）及び／又は圧力嵌め接続（force-fit connection）によって、好ましくは置換可能に接続するように適合され得る一つ又は複数の接続エレメント及び／又は容器（receptacle）を備えることができる。
【００５３】
サンプル流体をサンプリング容器内に少なくとも部分的に案内するために、サンプリングデバイスは、サンプル流体を直接的及び／又は間接的にサンプリング容器内に導くサンプル流体管路等、一つ又は複数の案内を備えることができる。したがって、サンプリング容器は、少なくとも一つの随意のサンプル開口に接続されて良い。上記で略述したように、好ましくは、少なくとも一つの案内エレメントが、少なくとも一つの漏斗を備えることができる。
【００５４】
サンプリング容器は、好ましくは、少なくとも一つの不活性材料を有する。これらの不活性の特性は、好ましくはサンプル流体に関連し、最も好ましくは抽出液内に含まれる少なくとも一種の溶媒等、抽出液に関連する。したがって、好ましくは、不活性材料は、サンプル流体及び好ましくは抽出液が、不活性材料の化学的組成物を変化させず、且つ／又は不活性材料から一つ又は複数の成分を抽出するように選択される。最も好ましくは、少なくとも一つの不活性材料が、ガラス、石英、セラミック材料、フッ素樹脂材料、具体的にはＰＴＦＥから選択される。しかしながら、列挙された材料及び／又は他の材料の組合せが、異なる材料の選択と同様に、可能である。
【００５５】
サンプリングデバイスはさらに、サンプリング容器内部のガス圧力を調整するように適合された、少なくとも一つの圧力調整エレメントを備えることができる。したがって、少なくとも一つの圧力調整エレメントが、サンプリング容器内部のガス圧力を、特定の、周囲圧力等の所定の圧力に調整するように適合されて良い。したがって、圧力バランス、好ましくはサンプリング容器の内部と周囲の外気との間の圧力バランスが、達成され得る。好ましくは、少なくとも一つの圧力調整エレメントが、少なくとも一つの弁及び／又は逃がし開口を備えることができる。
【００５６】
サンプリングデバイスはさらに、サンプリング容器の少なくとも一つの内部空間をガス、特に不活性ガスにさらすように適合された、少なくとも一つのガス入口を有することができる。したがって、サンプリング容器は、好ましくは酸化等、不要の反応からサンプル流体を保護するために、一種又は複数種の予め規定されたガスで部分的又は完全に満たされて良い。したがって、少なくとも一種の不活性ガスが、窒素及び／又はアルゴン等の不活性ガスを含むことができる。サンプリングデバイスの壁うちの一つ又は複数の中に少なくとも一つのオリフィス及び／又はノズルを設けること等によって、少なくとも一つのガス入口が、少なくとも部分的にサンプリングデバイスの一部であることができる。追加又は代替として、サンプリングデバイスの少なくとも一つのガス入口が、サンプリング容器の内部空間内に延びるガスチューブの一端を設けること等によって、サンプリングデバイス等、抽出デバイスの他の部品の一部であるガス入口を含むことができる。ガス入口は、ガスを供給するために、建物の一部である供給管路及び／又はガスシリンダ等、一つ又は複数のガス管路に接続されて良い。減圧弁及び／又は他のエレメント等、さらなるエレメントが設けられて良い。
【００５７】
サンプリングデバイスはさらに、周辺光がサンプリング容器に入るのを防止するように適合されて良い。このことは、サンプリング容器及び／又はサンプリングデバイスの他の部品の対応する特性によって達成され得る。したがって、サンプリング容器は、少なくとも部分的に、紫外光等、周辺光の少なくとも一部をフィルタリングする透明でない又は不透明な材料で作られて良い。追加又は代替として、サンプリング容器は、サンプリングデバイス内部の容器内に収納されて良く、それにより少なくとも部分的に周辺光から保護され、且つ／又は少なくとも一つの遮蔽エレメントを使用すること等によって、サンプリングデバイスによって任意の他の方向の周辺光から遮蔽され得る。この周辺光からの保護はさらに、光酸化又は光化学反応等、サンプル流体内部の不要な反応を防止することができる。
【００５８】
サンプリング容器は、好ましくは、少なくとも一つの施錠エレメントによって施錠可能なボトル及び／又はバイアル等、施錠可能な容器であって良い。好ましくは、少なくとも一つの施錠エレメントは、蓋及び／又はキャップを備えることができる。したがって、少なくとも一つのサンプリング容器は、ねじキャップボトル（screw-cap bottle）及び／又はスナップ蓋ボトル（snap-on-lid bottle）を備えることができる。他の種類のサンプリング容器が可能である。
【００５９】
サンプリングデバイスは、好ましくは、少なくとも一つのサンプルテンパリング（tempering）エレメントを有し、サンプルテンパリングは、サンプル流体をテンパリングする、特に冷却するように適合される。本明細書で使用するように、テンパリングエレメントは、サンプル流体の温度を、好ましくは固定されて良く又は所定の時間特性を有して良い少なくとも一つの所定の温度に制御、好ましくは調整するように適合された任意の装置又は装置の組合せを備えることができる。少なくとも一つの所定の温度は、周辺温度より低いことも、周辺温度より高いこともあり、又は周辺温度であっても良い。好ましくは、上記で略述したように、サンプルテンパリングエレメントは、サンプル流体を冷却するように適合される。サンプル流体を冷却することがさらに、サンプル流体が不要に化学反応するのを防止することができる。冷却は、サンプル流体が依然として気体状態及び／又は液体状態にあるように適合されて良い。代替として、冷却は、サンプル流体が凍結する程度であって良い。
【００６０】
上記で略述したように、サンプリングデバイスは、サンプルを離れるサンプル流体を案内するように適合されて良い一つ又は複数の案内エレメントを備えることができる。好ましくは、サンプリングデバイスは、サンプル流体を受けるための少なくとも一つの漏斗を有する。この漏斗は、第二の側面上のより広い面積からサンプル流体を収集し、サンプル流体をこのより広い面積からより狭い液体チャネル及び／又はサンプリング容器内に案内するように適合されて良い。
【００６１】
抽出デバイスはさらに、サンプル流体をろ過するために、少なくとも一つのフィルタエレメントを有することができる。このフィルタエレメントは、固体の成分等、サンプル流体の一種又は複数種の成分を保持するように適合されて良い。したがって、葉、幹、茎、根、貯蔵根、枝、花部、花、果実序、果実、穂、穂軸、種子、又は植物の任意の他の部分の固体部分等、サンプルの骨格の成分が保持されて良く、一方、サンプル流体内に含有される液体成分は、通過することを許容されて良い。好ましくは、少なくとも一つのフィルタエレメントは、少なくとも一つのフリットフィルタエレメント又はセラミックフィルタエレメントを備えることができる。しかしながら、他のフィルタエレメントが可能である。フィルタエレメントは、任意の方法で、抽出デバイスの上又は内部に配置されて良い。したがって、フィルタエレメントは、少なくとも一つの随意のサンプル開口、少なくとも一つの随意の漏斗、少なくとも一つのサンプル開口から少なくとも一つのサンプリング容器まで通じる少なくとも一つのチャネル、及び／又は少なくとも一つのサンプリング容器の一部であって良く、又はそれらと接続されて良い。好ましくは、少なくとも一つのフィルタエレメントは、メッシュ、スクリーン、ふるい、網、一つ又は複数の穿孔を有する穴あき板からなる群から選択されて良い。
【００６２】
さらに、抽出デバイスは、成分を吸収するように、且つ好ましくは成分を濃縮及び／又は枯渇させるように適合された少なくとも一つの吸収材料を有することができる。この吸収材料は、好ましくは、サンプル流体の流体経路内及び／又はサンプル流体又はその一部を収集するように適合されたサンプリング容器内に吸収材料を配置すること等によって、サンプル流体から一つ又は複数の成分を吸収するように適合されて良い。
【００６３】
上記で略述したように、液体充填器は、少なくとも一つの加圧エレメントを有することができる。この加圧エレメントは、抽出液を加圧状態で、即ち標準圧力より高い圧力下で供給するように適合されて良い。したがって、好ましくは、抽出液の圧力は、１バールから２０バールの範囲内、好ましくは２バールから８バールの範囲内にあって良い。加圧エレメントは、抽出デバイス内に、好ましくは液体充填器内に一体化されて良い。代替又は追加として、少なくとも一つの加圧エレメントは、外部圧力源等、一つ又は複数の外部エレメントを備えることができる。好ましくは、加圧エレメントは、抽出液を圧力下で供給するために、一つ又は複数のポンプ及び／又は加圧供給エレメントを備えることができる。
【００６４】
抽出デバイス及び最も好ましくは液体充填器は、一つ又は複数の弁、好ましくは抽出液の圧力及び／又は流れを制御するように適合された一つ又は複数の弁をさらに備えることができる。したがって、少なくとも一つの弁が、抽出液を供給するために供給管路内に設けられて良い。少なくとも一つの弁は、抽出液の流れをスイッチオン又はスイッチオフするように適合されて良い。代替又は追加として、少なくとも一つの弁は、抽出液の流れ及び／又は圧力を無段階で又は二段階以上で調整するように適合されて良い。やはり代替又は追加として、少なくとも一つの弁は、抽出液が液体充填器から供給管路に逆流するのを防止することができる。したがって、好ましくは、少なくとも一つの弁は、少なくとも一つの背圧弁を備えることができる。
【００６５】
抽出デバイス及び好ましくは液体充填器はさらに、抽出液をテンパリングするように適合された、少なくとも一つの抽出液テンパリングエレメントを有することができる。テンパリングという用語に関して、サンプル流体をテンパリングすることに関して上記で略述したものと同じことが当てはまる。したがって、テンパリングは、室温より高いか、低いか、又は同じであって良い。したがって、テンパリングエレメントは、加熱エレメント及び／又は冷却エレメントを備えることができる。サンプルテンパリングエレメントの場合のように、抽出液テンパリングエレメントは、したがって、一つ又は複数の加熱及び／又は冷却のパイプ及び／又はコイル、一つ又は複数の抵抗性ヒータ、一つ又は複数のペルチェ素子及び／又は他のテンパリングエレメントを備えることができる。したがって、抽出液テンパリングエレメントは、抽出液の温度を少なくとも一つの所定の温度又は温度範囲に制御するように適合されて良い。
【００６６】
サンプリングデバイス、好ましくはサンプリング容器及び／又は随意のフィルタエレメント等のサンプリングデバイスの別の部分がさらに、サンプル流体を少なくとも部分的に調整するように適合されて良い。したがって、サンプリングデバイスは、成分を吸収するように、且つ好ましくは成分を濃縮及び／又は枯渇させるように適合された少なくとも一つの吸収材料を有することができる。しかしながら、他の種類のサンプル調整及び／又はサンプル濃縮及び／又はサンプル枯渇が可能である。吸収材料は、例えばサンプリング容器及び／又はフィルタエレメントの一部であって良く、且つ／又は、フィルタエレメントの下の場所等の、フィルタエレメントとサンプリング容器との間の場所等、サンプリングデバイスの任意の他の場所に配置されて良い。
【００６７】
サンプル流体の調整は、好ましくは、サンプル流体が通過する一つ又は複数の吸収材料を使用することによる濃縮及び／又は枯渇を含むことができる。したがって、サンプリングデバイスは、サンプル流体が押されて、フィルタエレメント及び／又はサンプリング容器の中に配置されるか、又は任意の他の方法で配置された吸収材料を通るように適合されて良い。固相抽出（ＳＰＥ）と同様に、一種又は複数種の分子が、脂質等の吸収材料に張り付くことができる。他の種類の分子は、吸収材料を通り過ぎることができ、サンプリング容器に到達することができる。したがって、一つ又は複数の吸収材料を使用することによって、サンプリングデバイスは、サンプル流体の二つ以上の画分に分離するように適合されて良い。一つ又は複数のこれらの画分は、さらなる使用に関して重要である。したがって、さらなる分析等のために、吸収材料を通り過ぎてサンプリング容器に到達したサンプル流体の画分が使用されて良く、且つ／又は吸収材料によって吸収されたサンプル流体の画分が使用されて良い。したがって、吸収された画分を含む吸収材料は、吸収材料によって吸収された脂質を分析するため等、さらなる使用のために吸収材料から画分を分離するために、一種又は複数種の溶媒と共に処理されて良い。
【００６８】
一つ又は複数の化学材料が、例えば一つ又は複数の分析反応を実施するため及び／又はサンプル調整のために、サンプリング容器内、及び／又は吸収材料内、及び／又はフィルタエレメント内、及び／又はほぼフィルタエレメントとサンプリング容器との間等のサンプリングデバイスの任意の他の場所の中等、サンプリングデバイス内に含まれて良い。したがって、一種又は複数種の緩衝化学薬品が含まれて良い。したがって、サンプリングデバイス及び好ましくはサンプリング容器は、好ましくは成分を安定化させるために、サンプル流体及び／又は成分と反応するように適合された少なくとも一種の試薬を有することができる。
【００６９】
本発明のさらなる態様では、生物学的サンプルから少なくとも一つの成分を抽出するための方法が開示される。方法は、好ましくは、上で開示した実施形態のうちの一つ又は複数による抽出デバイスを使用することによって実施され得る。その結果、方法の好ましい実施形態に関して、上述の抽出デバイスが参照されて良い。しかしながら、他の種類の抽出デバイス及び／又は他のデバイスが使用されることが可能である。
【００７０】
方法は、好ましくは、植物標本から一種又は複数種の代謝物質を抽出するために使用されて良い。しかしながら、本発明による方法の他の使用、即ち他の種類の標的成分の抽出が、他の種類の生物学的サンプル（例えば、海藻）等、植物標本以外のサンプルを使用することと共に、可能である。
【００７１】
方法は、少なくとも一つの液体充填器をサンプルの第一の側面に接触させるステップを含む。少なくとも一種の抽出液、具体的には少なくとも一種の溶媒が、液体充填器を使用することによってサンプルの第一の側面に適用される。さらなる方法のステップでは、サンプルの第二の側面と接触する少なくとも一つのサンプリングデバイスが使用される。抽出液及び成分を含むサンプル流体が、サンプリングデバイスを使用することによって収集される。サンプルは、好ましくは、液体充填器とサンプリングデバイスとの間でクランプされて良い。
【００７２】
本発明のさらなる態様では、生物学的サンプルから、具体的には植物標本から少なくとも一種の代謝物質を抽出するための方法が開示される。この方法では、上で開示した実施形態のうちの一つ又は複数による抽出デバイスが使用される。したがって、この方法の好ましい実施形態に関しては、上で開示したような抽出デバイスを参照されたい。
【００７３】
要約すると、以下の項目が、本発明の中で特に好ましい。
【００７４】
項目１：  少なくとも一つの成分を生物学的サンプルから抽出するため、具体的には代謝物質を植物標本から抽出するための抽出デバイスであって、少なくとも一つの液体充填器を有し、液体充填器がサンプルの第一の側面と接触するように適合され、且つ抽出液、具体的には少なくとも一種の溶媒をサンプルの第一の側面に適用するように適合され、抽出デバイスがさらに少なくとも一つのサンプリングデバイスを有し、サンプリングデバイスがサンプルの第二の側面と接触するように適合され、且つ抽出液と成分とを含むサンプル流体を収集するように適合される、抽出デバイス。
【００７５】
項目２：  液体充填器及びサンプリングデバイスが、少なくとも一つの接続機構によって接続され、接続機構が、液体充填器とサンプリングデバイスとの間の距離を変化させるように、且つ液体充填器とサンプリングデバイスとの間に配置されたサンプルにクランプ力を加えるように適合される、項目１に記載の抽出デバイス。
【００７６】
項目３：  接続機構が少なくとも一つのヒンジを有する、項目１又は２に記載の抽出デバイス。
【００７７】
項目４：  接続機構が液体充填器とサンプリングデバイスとの相対運動、好ましくは直線的相対運動を可能にする、少なくとも一つのレールエレメントを有する、項目２又は３に記載の抽出デバイス。
【００７８】
項目５：  レールエレメントが少なくとも一つの案内棒を有する、項目１から４のいずれか一項目に記載の抽出デバイス。
【００７９】
項目６：  接続機構が少なくとも一つのばねエレメントを有し、ばねエレメントが、液体充填器とサンプリングデバイスとを分離する分離力を加えるように適合される、項目２から５のいずれか一項目に記載の抽出デバイス。
【００８０】
項目７：  手持ち式デバイスである、項目１から６のいずれか一項目に記載の抽出デバイス。
【００８１】
項目８：  液体充填器が、サンプルの第一の側面に押しつけられるように適合された少なくとも一つの第一の封止エレメント、具体的には少なくとも一つのＯリングを有する、項目１から７のいずれか一項目に記載の抽出デバイス。
【００８２】
項目９：  サンプルの第二の側面に押しつけられるように適合された少なくとも一つの第二の封止エレメント、具体的には少なくとも一つのＯリングを有する、項目１から８のいずれか一項目に記載の抽出デバイス。
【００８３】
項目１０：  サンプリングデバイスが少なくとも一つのサンプリング容器を有し、サンプル流体をサンプリング容器内に少なくとも部分的に案内するように適合される、項目１から９のいずれか一項目に記載の抽出デバイス。
【００８４】
項目１１：  サンプリング容器が、サンプリングデバイス内に置換可能に配置される、項目１から１０のいずれか一項目に記載の抽出デバイス。
【００８５】
項目１２：  サンプリングデバイスが、サンプリング容器内部のガス圧力を調整するように適合された少なくとも一つの圧力調整エレメントを有する、項目１０又は１１に記載の抽出デバイス。
【００８６】
項目１３：  サンプリングデバイスが、サンプリング容器の少なくとも一つの内部空間をガスに、具体的には不活性ガスにさらすように適合された少なくとも一つのガス入口を有する、項目１０から１２のいずれか一項目に記載の抽出デバイス。
【００８７】
項目１４：  サンプリングデバイスが少なくとも一つのサンプルテンパリングエレメントを有し、サンプルテンパリングエレメントがサンプル流体をテンパリングするように適合される、項目１から１３のいずれか一項目に記載の抽出デバイス。
【００８８】
項目１５：  サンプリングデバイスが、サンプル流体を受けるために少なくとも一つの漏斗を有する、項目１から１４のいずれか一項目に記載の抽出デバイス。
【００８９】
項目１６：  サンプル流体をろ過するために少なくとも一つのフィルタエレメントを有する、項目１から１５のいずれか一項目に記載の抽出デバイス。
【００９０】
項目１７：  フィルタエレメントが、メッシュ、スクリーン、ふるい、網、一つ又は複数の穿孔を有する穴あき板からなる群から選択される、項目１から１６のいずれか一項目に記載の抽出デバイス。
【００９１】
項目１８：  液体充填器が少なくとも一つの加圧エレメントを有し、加圧エレメントが抽出液を加圧状態で供給するように適合される、項目１から１７のいずれか一項目に記載の抽出デバイス。
【００９２】
項目１９：  抽出デバイス、好ましくは液体充填器が、少なくとも一つの弁、好ましくは背圧弁を有する、項目１から１８のいずれか一項目に記載の抽出デバイス。
【００９３】
項目２０：  液体充填器が少なくとも一つの抽出液テンパリングエレメントを有し、抽出液テンパリングエレメントが抽出液をテンパリングするように適合される、項目１から１９のいずれか一項目に記載の抽出デバイス。
【００９４】
項目２１：  サンプリングデバイスが、成分を吸収するように、且つ好ましくは成分を濃縮及び／又は枯渇させるように適合された少なくとも一つの吸収材料を有する、項目１から２０のいずれか一項目に記載の抽出デバイス。
【００９５】
項目２２：  項目１から２１のいずれか一項目に記載の少なくとも一つの抽出デバイスを備える抽出システムであって、少なくとも一つの生物学的サンプル、好ましくは少なくとも一つの植物標本をさらに含み、生物学的サンプルが液体充填器とサンプリングデバイスとの間でクランプされる、抽出システム。
【００９６】
項目２３：  生物学的サンプルが、生物又は生命体から、好ましくは無傷の部分、好ましくは植物又は植物の一部として採取されたサンプルを含む、項目２２に記載の抽出システム。
【００９７】
項目２４：  生物学的サンプルが生細胞を含む、項目２２又は２３に記載の抽出システム。
【００９８】
項目２５：  好ましくは項目１から２１のいずれか一項目に記載の抽出デバイスを使用することによって、少なくとも一つの成分を生物学的サンプルから抽出するため、具体的には少なくとも一種の代謝物質を植物標本から抽出するための方法であって、液体充填器がサンプルの第一の側面と接触し、抽出液、具体的には少なくとも一種の溶媒が、液体充填器を使用することによってサンプルの第一の側面に適用され、さらに少なくとも一つのサンプリングデバイスが使用され、サンプリングデバイスがサンプルの第二の側面と接触し、サンプル流体が抽出液を含み、成分がサンプリングデバイスを使用することによって収集される、方法。
【００９９】
本発明による抽出デバイス及び方法は、知られているデバイス及び方法に優る多数の利点を提供する。好ましくは、抽出デバイスは、田畑、温室又は栽培箱の中で栽培される植物に直接使用され得る。したがって、生物学的サンプルからの少なくとも一つの成分の抽出は、サンプル調製に関して作業することなく、又は極めてわずかな作業で行うことができる。したがって、抽出は、葉、幹、茎、根、貯蔵根、枝、花部、花、果実序、果実、穂、トウモロコシの穂軸、又は種子を残存する植物から取り除くことがない等、サンプルを残存する生物学的エンティティから分離することなく行うことさえ可能である。具体的には、抽出デバイスは、葉、幹、茎、根、貯蔵根、枝、花部、花、果実序、果実、穂、穂軸、又は種子の上に単にクランプされて良く、抽出は、植物を細かく切断することなく行うことができる。したがって、サンプル調製のための作業を大幅に削減すること以外に、サンプル調製のために費やされる時間を短縮し、サンプル調製によって植物等のサンプルに与えられるストレスが、大幅に削減され得る。このことは、サンプルがストレスに誘導されて不要に反応するのを防止することを助けることができる。
【０１００】
さらに、新しい活性薬剤を試験するときに一般的に実施されるように、多数のサンプルを試験するとき、各抽出に対するタクトタイム又はターンアラウンドタイムが、大幅に短縮され得る。したがって、多数の活性薬剤又は成分のマススクリーニングが、これらの活性薬剤を植物等の生物学的エンティティに適用することによって、及びさらなる研究及び／又は分析のためにこのエンティティから一種又は複数種の代謝物質を速やかに抽出することによって可能となる。その結果、様々な種類の処置に対する多数の代謝物質のプロファイルを含むデータベースが、本発明による方法及びデバイスを使用することによって構成され得る。
【０１０１】
本発明をより十分に理解するために、好ましい実施形態の以下の説明を、添付図面と関連して参照されたい。しかしながら、本発明は、これらの実施形態に限定されない。実施形態において、図面における同一の参照番号は、同一及び／又は機能的に同等のエレメントに言及する。
【図面の簡単な説明】
【０１０２】
【図１】本発明による抽出デバイスの第一の実施形態を示す断面図である。
【図２】本発明による抽出デバイスの第二の実施形態を示す部分図である。
【図３】本発明による抽出デバイスの第三の実施形態を示す断面図である。
【発明を実施するための形態】
【０１０３】
図１では、本発明による好ましい抽出デバイス１１０の第一の実施形態の断面図を示す。抽出デバイス１１０は、植物の葉又は別のサンプル等、生物学的サンプル１１２から少なくとも一つの成分を抽出するために使用される。この実施形態及び以下の実施形態において、抽出デバイス１１０及び生物学的サンプル１１２が共同して、抽出システム又は抽出システムの部品を形成することができ、それは、図面において、参照番号によって別々に示されるものではない。さらに、本明細書では、生物学的サンプル及びサンプルという用語は、同義語として使用される。しかしながら、他の種類のサンプルが使用されて良いことを理解されたい。
【０１０４】
本実施形態における抽出デバイス１１０は、トングのチョップとして液体充填器１１６とサンプリングデバイス１１８とを備えるトング１１４のように設計され、液体充填器１１６とサンプリングデバイス１１８とは、ヒンジ１２０によって接続され、それによりサンプル１１２を液体充填器１１６とサンプリングデバイス１１８との間でクランプすることが可能になる。液体充填器１１６は、サンプル１１２の第一の側面１２２と接触するように適合され、一方、本実施形態では、サンプリングデバイス１１８は、第一の側面１２２と対向する第二の側面１２４と接触するように適合され、それによりサンプル流体１２６及び／又は抽出液１２８がサンプル１１２を好ましくは直線的に通り過ぎることが可能になる。
【０１０５】
液体充填器１１６は、抽出液をサンプルの第一の側面１２２に供給するように適合された液体供給管路１３０を備える。液体供給管路１３０は、サンプル１１２に面する少なくとも一つのオリフィス１３２に通じ、図１に示すように、オリフィスは、サンプル１１２に面する漏斗のような広がりを、随意に備えることができる。オリフィス１３２とサンプル１１２の第一の側面１２２との間に、Ｏリング等の第一の封止エレメント１３４が設けられて良い。好ましくは、この第一の封止エレメント１３４は、オリフィス１３２の全周に封止効果をもたらす。液体供給管路１３０は、抽出液貯留槽に接続されて良く、抽出液が、圧力下で供給され得る。
【０１０６】
第二の側面１２４上に、サンプリングデバイス１１８は、サンプル１１２の第二の側面１２４に面する開口１３８を有する少なくとも一つのサンプリング容器１３６を備える。この開口１３８とサンプル１１２の第二の側面１２４との間に、やはり、開口１３８の全周に封止効果をもたらすことができる第二の封止エレメント１４０が設けられて良い。やはり、サンプル１１２の第二の側面１２４に面するサンプリング容器１３６のリムの上部に配置された一つ又は複数のＯリング等、一つ又は複数のＯリングが使用されて良い。
【０１０７】
サンプリング容器１３６は、サンプル１１２の第二の側面１２４から収集される抽出液１２８及び／又はサンプル流体１２６を受けるように適合される。サンプリング容器１３６は、任意の適切な材料又は材料の組合せで作られて良い。好ましくは、サンプリング容器１３６は、ガラス及び／又はテフロン(登録商標)等、不活性材料で作られる。しかしながら、他の種類の材料が可能である。容器１４２は、図１に記号的に示す少なくとも一つのサンプルテンパリングエレメント１４４を備えることができ、サンプルテンパリングエレメント１４４は、サンプリング容器１３６内部に収集された抽出液１２８及び／又はサンプル流体１２６をテンパリングするように適合されて良い。同様に、抽出液１２８は、図１に記号的に示す抽出液テンパリングエレメント１４６を使用すること等によって、テンパリングされた状態で供給され得る。しかしながら、他の種類のテンパリングエレメント１４４、１４６が可能であり、同様に、これらのテンパリングエレメント１４４、１４６の、図１に示す位置以外の場所も可能である。さらに、抽出デバイス１１０は、図１に記号的に示す少なくとも一つの加圧エレメント１４８を備えて良く、加圧エレメント１４８は、抽出液１２８を加圧状態で供給するように適合されて良い。
【０１０８】
サンプリング容器１３６は、サンプリング容器１３６の内部空間１５２の内部のガス圧力を調整するように適合された、少なくとも一つの圧力調整エレメントをさらに備えることができる。代替又は追加として、サンプリング容器は、サンプリング容器１３６の内部空間１５２内に少なくとも一種のガスを適用するために少なくとも一つのガス入口１５４を備えて良く、ガス入口１５４は、圧力調整エレメント１５０と分離されて良く、又は図１のように圧力調整エレメント１５０と少なくとも部分的に同等であって良い。このガス入口１５４を経由して、不要な反応を防止するために、不活性ガス又は保護ガスが、内部空間１５２に供給されて良い。
【０１０９】
抽出デバイス１１０及び好ましくはサンプリングデバイス１１８及び／又は抽出デバイス１１０の任意の他の場所が、一つ又は複数のフィルタエレメント１５６をさらに備えることができる。図１に示す好ましい実施形態では、このフィルタエレメント１５６は、例えば、第二の封止エレメント１４０のＯリングの内部に配置されたフリット等、一つ又は複数のフリットを備えることができる。
【０１１０】
さらに、抽出デバイス１１０は、図１に記号的に示すように、一つ又は複数の吸収材料１５８及び／又は試薬１６０をさらに備えることができる。したがって、一種又は複数種の特定の代謝物質を濃縮及び／又は枯渇させるように適合される吸収材料１５８が、使用されて良い。吸収材料１５８及び／又は試薬１６０は、フィルタエレメント１５６の一部であること及び／又はサンプリング容器１３６の一部であること及び／又はサンプリング容器１３６内に含まれること及び／又はフィルタエレメント１５６とサンプリング容器１３６との間に配置されること等、いくつか方法で配置されて良い。しかしながら、他の実施形態が可能である。
【０１１１】
図１による抽出デバイス１１０を使用するために、葉、例えばトウモロコシの植物の葉等のサンプル１１２が、液体充填器１１６とサンプリングデバイス１１８との間でクランプされて良い。したがって、液体充填器１１６が第一の側面１２２に提供されても良く、サンプリングデバイス１１８が第二の側面１２４に提供されても良く、又はその反対がなされて良い。抽出液１２８は、好ましくは圧力下で、液体供給管路１３０を経由してオリフィス１３４に供給される。好ましくは、抽出液１２８は、好ましくは特定の、所定の温度において、一種又は複数種の溶媒を含むことができる。この温度は、冷温範囲から高温範囲までの所定の温度に制御可能であって良い。抽出液１２８は、ワクチン接種ピストルを使用することによる典型的なワクチン接種処置におけるように、十分な圧力を加えられてサンプル１１２を通り抜けることができる。抽出液１２８及び一つ又は複数の標的成分を含むサンプル流体１２６が、サンプリング容器１３６の内部で収集される。
【０１１２】
圧力調整エレメント１５０を経由して、圧力調整が、サンプリング容器１３６の内部空間１５２内にもたらされ得る。この圧力調整は、質的並びに量的に、内部標準及び／又は外部標準等、所定の標準によって実施されて良い。圧力調整エレメント１５０は、好ましくは、能動弁及び／又は受動弁及び／又は制限キャピラリー等のキャピラリーを備えることができる。
【０１１３】
サンプリング容器１３６は、好ましくは、酸化反応を防止するために、冷却可能であり且つ光及び／又は他の放射の侵入から保護され得る。さらに、サンプリング容器１３６は、ねじキャップ及び／又はスナップ止めキャップの容器を使用すること等によって、抽出の前後に緊密に閉止可能である。さらに、抽出処理そのものの間、第一の封止エレメント１３４及び第二の封止エレメント１４０は、サンプル１１２に対して緊密な封止をもたらすことができ、同時に、サンプリング容器１３６の封止をもたらすことができる。
【０１１４】
液体充填器１１６とサンプリングデバイス１１８とを接続するように適合されたヒンジ１２０又は任意の他の接続機構１６２が、好ましくは、第一の封止エレメント１３４及び第二の封止エレメント１４０の上の圧力が、葉の厚さ等、サンプル１１２の厚さとは無関係に均一で等しいように設計されて良い。
【０１１５】
フィルタエレメント１５６は、好ましくは、サンプル１１２の組織の残余がサンプリング容器１３６に入るのを防止するように適合されて良い。サンプリング容器１３６の内部に、数種のさらなる試薬１６０、好ましくはサンプル流体１２６、好ましくはサンプル１１２から抽出された一つ又は複数の成分、を安定させるように適合された試薬１６０が、供給されて良い。したがって、ブチルヒドロキシトルエン（ＢＨＴ）及び／又は珪藻土及び／又は他の試薬１６０が、サンプリング容器１３６内に含まれて良い。
【０１１６】
図２に、本発明による抽出デバイス１１０の第二の実施形態を、図１に示す図と同様の図で示す。液体充填器１１６とサンプリングデバイス１１８との間の抽出面積だけを示す。抽出デバイス１１０の他のコンポーネントに対しては、上述の実施形態を参照されたい。
【０１１７】
図２における抽出デバイス１１０は、図１による上述の実施形態に類似する方式で設計され得る液体充填器１１６を備える。したがって、上述の説明を参照されたい。しかしながら、図１の実施形態とは対照的に、この実施形態におけるサンプリングデバイス１１８は、サンプル流体１２６をサンプル１１２の第二の側面１２４のより広い面積から収集するための漏斗１６４を備える。この漏斗１６４は、サンプリング容器１３６と分離されて良く、又はサンプリング容器１３６の一部であって良く、又は図２に示す部品以外の他の部品を含むサンプリングデバイス１１８の他の部品の一部であって良い。その上端において、図１に示す実施形態と同様に、漏斗１６４は、少なくとも一つの第二の封止エレメント１４０を、少なくとも一つのフィルタエレメント１５６と共に備えることができる。漏斗１６４は、サンプル流体１２６をサンプリング容器１３６内に案内するように適合された一つ又は複数のアダプタ及び／又はポート１６６を備えることができる。さらに、サンプルテンパリングエレメント１４４、抽出液テンパリングエレメント１４６、加圧エレメント１４８、圧力調整エレメント１５０、ガス入口１５４、吸収材料１５８、又は試薬１６０等、図１に示すデバイスの好ましい実施形態が、図２に示す実施形態に適用されて良い。上で説明した図１の実施形態を参照されたい。
【０１１８】
図３に、本発明による抽出デバイス１１０の第三の実施形態の断面図を示す。かなりの程度まで、上述の実施形態を参照することが可能である。
【０１１９】
やはり、抽出デバイス１１０は、生物学的サンプル１１２の第一の側面と接触するように適合され、且つ抽出液を第一の側面１２２に適用するように適合された、液体充填器１１６を備える。さらに、この第三の実施形態における抽出デバイスはやはり、生物学的サンプル１１２の第二の側面１２４と接触するように適合され、且つ生物学的サンプル１１２を離れるサンプル流体１２６を収集するように適合されたサンプリングデバイス１１８を備える。
【０１２０】
やはり、液体充填器１１６及びサンプリングデバイス１１８は、エレメント１１６と１１８との距離を変化させるように適合され、且つ液体充填器とサンプリングデバイス１１８との間に配置されたサンプル１１２にクランプ力を加えるように適合された接続機構１６２によって接続される。しかしながら、図３に示す実施形態では、接続機構は、ヒンジの代替又は追加として一つ又は複数のレールエレメント１６８を備える。レールエレメント１６８は、液体充填器１１６とサンプリングデバイスとの相対運動を可能にするように適合される。この実施形態では、直線運動が可能である。
【０１２１】
図３に、一つのレールエレメント１６８の断面図を示す。図から分かるように、この実施形態では、レールエレメント１８６は、一つ又は複数の案内棒１７０を備える。したがって、一例として、二つ、三つ、又は四つ以上のレールエレメント１６８、好ましくは案内棒１７０が、設けられて良い。この実施形態では、案内棒１７０は、サンプリングデバイスの基板１７４内の止まり穴の中等、サンプリングデバイス１１８内の第一の孔１７２の中に固定して埋め込まれる。同様に、液体充填器１１６は、基板１７６内の貫通穴等、第二の孔１７８を有する基板１７６を備えて良く、貫通穴の中で基板１７６が案内棒１７０の上を滑動できるように、案内棒１７０が移動可能に収納される。図３から分かるように、案内棒１７０は、基板１７６全体を通して延びることができる。サンプリングデバイス１１８と反対の側面上に、液体充填器１１６がカバー板１８０を備えて良く、基板１７６の案内棒１７０に沿った相対運動が制限されるように、案内棒１７０は、ナット１８２又は別の種類の締結エレメントによって保持されて良い。カバー板１８０は、一つ又は複数のねじ１８４等、一つ又は複数の締結エレメントによって基板１７６に固定されて良い。
【０１２２】
接続機構１６２はさらに、液体充填器１１６とサンプリングデバイス１１８とを分離する分離力を加えるように適合された一つ又は複数のばねエレメント１８６を備えることができる。図３に示す実施形態では、ばねエレメント１８６は、孔１７２、１７８の環状空間内に収容され、孔１７２、１７８の肩１８８、１９０に載る、案内棒１７０を取り巻く一つ又は複数のコイルばねを備えることができる。液体充填器１１６及びサンプリングデバイス１１８は、これらのエレメントを圧縮するトング１１４を使用することによって圧縮されて良く、それによりレールエレメント１６８によって規定されるこれらのエレメント１１６、１１８の相対運動が実施され、それによりクランプ力が生物学的サンプル１１２に加えられる。トング１１４によって与えられるクランプ力が弱められると、ばねエレメント１８６が、クランプ力に抗して力を与え、それにより生物学的サンプル１１２を取り外すため及び／又は取り替えるために、液体充填器１１６とサンプリングデバイス１１８との間の空間を広げる。
【０１２３】
図３はさらに、抽出液１２８を生物学的サンプル１１２に供給するための供給システムの一実施形態の随意の詳細を示す。この実施形態では、前の実施形態におけるように、液体供給管路１３０への接続１９４を有する液体供給システム１９２を示す。さらに、液体供給システム１９２は、基板１７６内の弁容器１９８の中に挿入された弁筐体１９６を備えることができる。弁筐体１９６は、ばね２０２及びカバー板１８０によって下向きにクランプされ得るリム２００を備えることができる。しかしながら、弁筐体１９６を固定するための他の機構が可能である。さらに、この実施形態における弁筐体１９６は、背圧弁２０４等、一つ又は複数の弁を備える。この実施形態では、背圧弁２０４は、ボール２０６とばね２０８とを備え、抽出液１２８が供給管路１３０に逆流するのを防止するように適合される。
【０１２４】
生物学的サンプル１１２の第一の表面１２２に面する下端において、液体充填器１１６、この実施形態では好ましくは弁筐体１９６は、オリフィス１３２をもたらす一つ又は複数の穿孔を有する穴あき板２１０を備えることができ、オリフィスを通して抽出液が、生物学的サンプル１１２の第一の表面１２２に供給され得る。穴あき板２１０は、ねじ接続又は任意の他の接続機構によって、弁容器１９８に固定されて良い。
【０１２５】
図３に示す実施形態はさらに、サンプリングデバイス１１６の潜在的な改変を示す。この実施形態では、漏斗１６４が、サンプリングデバイス１１８の基板１７４内に設けられる。生物学的サンプル１１２の第二の表面１２４に面する一端において、サンプリングデバイス１１８はやはり、一つ又は複数のフィルタエレメント１５６を有することができる。図３に示す実施形態では、フィルタエレメント１５６は、やはり一つ又は複数の穿孔を含むことができ、好ましくは基板１１８内にねじ込まれて良い、他の穴あき板２１２を有することができる。さらに、穴あき板２１２と生物学的サンプル１１２の第二の表面１２４との間に、メッシュ２１４又はふるいが載ることができ、さらなるフィルタエレメント１５６をもたらす。他の実施形態が可能である。
【０１２６】
図３における実施形態はさらに、サンプリング容器１３６の改変された収納を示す。したがって、図３に示す実施形態では、サンプリングデバイス１１８は、サンプリング容器１３６のための保持板２１６又は任意の他の保持エレメントを備えることができる。この実施形態では、保持板２１６は、基板１７４の下側、即ち生物学的サンプル１１２から離れて面する側に配置される。保持板２１６は基板１７４に固定されて良く、又はトング１１４によって基板１７４にクランプされて良い。保持板２１６は、肩２１８を備えることができ、肩の上に、サンプリング容器１３６のリム２２０が載ることができる。サンプリング容器１３６を保持する他の種類の容器が可能である。
【０１２７】
抽出の例：
図３に示す実施形態による抽出デバイス１１０を用いて抽出プロセスを試験するために、以下の実験が実施された。
【０１２８】
最初に、トウモロコシの葉が、図３に示すセットアップの、液体充填器１１６とサンプリングデバイス１１８との間にクランプされた。クランプ力を加えるために、トング１１４が、図３に示すように適用され、そこでは溶接トングが使用された。
【０１２９】
さらなるステップでは、加圧されたエタノールが、抽出液１２８として適用された。エタノールを加圧するために、加圧エレメント１４８（図３に示さず）が使用された。この場合、グリースプレス（grease press）が、加圧エレメント１４８として使用された。
【０１３０】
前で説明したように、サンプル流体１２６は、サンプリング容器１３６の中に収集された。サンプル流体１２６の詳細な分析は実施されなかったけれども、サンプル流体１２６は、目視で検査された。抽出液１２８として使用される無色のエタノールとは対照的に、サンプル流体１２６の緑色発色は、さらなる分析を行うことなく、裸眼で容易に検出可能である。サンプル流体１２６のこの発色は、トウモロコシの葉から、葉緑素が最も可能性が高く、一つ又は複数の他の成分の可能性もある少なくとも一つの成分が抽出されたことが明確に示された。
【符号の説明】
【０１３１】
１１０  抽出デバイス
１１２  生物学的サンプル
１１４  トング
１１６  液体充填器
１１８  サンプリングデバイス
１２０  ヒンジ
１２２  第一の側面
１２４  第二の側面
１２６  サンプル流体
１２８  抽出液
１３０  液体供給管路
１３２  オリフィス
１３４  第一の封止エレメント
１３６  サンプリング容器
１３８  開口
１４０  第二の封止エレメント
１４２  容器
１４４  サンプルテンパリングエレメント
１４６  抽出液テンパリングエレメント
１４８  加圧エレメント
１５０  圧力調整エレメント
１５２  内部空間
１５４  ガス入口
１５６  フィルタエレメント
１５８  吸収材料
１６０  試薬
１６２  接続機構
１６４  漏斗
１６６  ポート
１６８  レールエレメント
１７０  案内棒
１７２  第一の孔
１７４  基板
１７６  基板
１７８  第二の孔
１８０  カバー板
１８２  ナット
１８４  ねじ
１８６  ばねエレメント
１８８  肩
１９０  肩
１９２  液体供給システム
１９４  接続
１９６  弁筐体
１９８  弁容器
２００  リム
２０２  ばね
２０４  背圧弁
２０６  ボール
２０８  ばね
２１０  穴あき板
２１２  穴あき板
２１４  メッシュ
２１６  保持板
２１８  肩
２２０  リム
【図１】
2013545964.tif 000003
【図２】
2013545964.tif 000004
【図３】
2013545964.tif 000005
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
少なくとも一つの成分を生物学的サンプル（１１２）から抽出するための方法であって、抽出デバイス（１１０）の液体充填器（１１６）を前記サンプル（１１２）の第一の側面（１２２）と接触させ、前記液体充填器（１１６）を使用することによって抽出液（１２８）が前記サンプル（１１２）の前記第一の側面（１２２）に適用され、さらに前記抽出デバイス（１１０）の少なくとも一つのサンプリングデバイス（１１８）が使用され、前記サンプリングデバイス（１１８）を前記サンプル（１１２）の第二の側面（１２４）と接触させ、前記抽出液（１２８）と前記成分とを含むサンプル流体（１２６）が前記サンプリングデバイス（１１８）を使用することによって収集され、前記液体充填器（１１６）及び前記サンプリングデバイス（１１８）が、少なくとも一つの接続機構（１６２）によって接続され、前記接続機構（１６２）が、前記液体充填器（１１６）と前記サンプリングデバイス（１１８）との間の距離を変化させるように適合され、前記液体充填器（１１６）が前記液体充填器（１１６）と前記サンプリングデバイス（１１８）との間に配置された前記サンプル（１１２）にクランプ力を加え、前記生物学的サンプル（１１２）が、植物から採取され且つ葉、幹、茎、根、貯蔵根、枝、花部、花、果実序、果実、穂、穂軸及び種子からなる群から選択され、前記抽出デバイス（１１０）が前記生物学的サンプル（１１２）の上にクランプされ、抽出が植物を細かく切断することなく行われる、前記方法。
【請求項２】
田畑、温室又は栽培箱の中で栽培される植物に対して直接行われる、請求項１に記載の方法。
【請求項３】
前記生物学的サンプル（１１２）が、栽培箱又は温室のような制御された環境の中で成長する植物、栽培箱又は温室のような制御された環境における土壌又は水耕システムの中で成長する植物、田畑の中で成長する植物、育種集団に属する植物及びトランスジェニック植物からなる群から選択される植物の無傷の一部分である、請求項１又は２に記載の方法。
【請求項４】
サンプルを残存する生物学的エンティティから分離することなく行われる、請求項１〜３のいずれかに記載の方法。
【請求項５】
前記接続機構（１６２）が少なくとも一つのヒンジ（１２０）を有する、請求項１〜４のいずれかに記載の方法。
【請求項６】
前記接続機構（１６２）が前記液体充填器（１１６）と前記サンプリングデバイス（１１８）との相対運動、好ましくは直線的相対運動を可能にする、少なくとも一つのレールエレメント（１６８）を有する、請求項１〜５のいずれかに記載の方法。
【請求項７】
前記レールエレメント（１６８）が少なくとも一つの案内棒（１７０）を有する、請求項６に記載の方法。
【請求項８】
前記接続機構（１６２）が少なくとも一つのばねエレメント（１８６）を有し、前記ばねエレメント（１８６）が、前記液体充填器（１１６）と前記サンプリングデバイス（１１８）とを分離する分離力を加えるように適合される、請求項１〜７のいずれかに記載の方法。
【請求項９】
抽出デバイス（１１０）が手持ち式デバイスである、請求項１〜８のいずれかに記載の方法。
【請求項１０】
前記液体充填器（１１６）が、前記サンプル（１１２）の前記第一の側面（１２２）に押しつけられるように適合された少なくとも一つの第一の封止エレメント（１３４）を有する、請求項１〜９のいずれかに記載の方法。
【請求項１１】
抽出デバイス（１１０）が、前記サンプル（１１２）の前記第二の側面（１２４）に押しつけられるように適合された少なくとも一つの第二の封止エレメント（１４０）を有する、請求項１〜１０のいずれかに記載の方法。
【請求項１２】
前記サンプリングデバイス（１１８）が少なくとも一つのサンプリング容器（１３６）を有し、前記サンプル流体（１２６）を前記サンプリング容器（１３６）内に少なくとも部分的に案内するように適合される、請求項１〜１１のいずれかに記載の方法。
【請求項１３】
前記サンプリング容器（１３６）が、前記サンプリングデバイス（１１８）内に置換可能に配置される、請求項１２に記載の方法。
【請求項１４】
前記サンプリングデバイス（１１８）が、前記サンプリング容器（１３６）内部のガス圧力を調整するように適合された少なくとも一つの圧力調整エレメント（１５０）を有する、請求項１２又は１３に記載の方法。
【請求項１５】
前記サンプリングデバイス（１１８）が、前記サンプリング容器（１３６）の少なくとも一つの内部空間（１５２）をガスにさらすように適合された少なくとも一つのガス入口（１５４）を有する、請求項１２〜１４のいずれかに記載の方法。
【請求項１６】
前記サンプリングデバイス（１１８）が少なくとも一つのサンプルテンパリングエレメント（１４４）を有し、前記サンプルテンパリングエレメント（１４４）が前記サンプル流体（１２６）をテンパリングするように適合される、請求項１〜１５のいずれかに記載の方法。
【請求項１７】
前記サンプリングデバイス（１１８）が、前記サンプル流体（１２６）を受けるために少なくとも一つの漏斗（１６４）を有する、請求項１〜１６のいずれかに記載の方法。
【請求項１８】
前記抽出デバイス（１１０）が、前記サンプル流体（１２６）をろ過するために少なくとも一つのフィルタエレメント（１５６）を有する、請求項１〜１７のいずれかに記載の方法。
【請求項１９】
前記フィルタエレメント（１５６）が、メッシュ、スクリーン、ふるい、網、一つ又は複数の穿孔を有する穴あき板（２１２）からなる群から選択される、請求項１８に記載の方法。
【請求項２０】
前記液体充填器（１１６）が少なくとも一つの加圧エレメント（１４８）を有し、前記加圧エレメント（１４８）が前記抽出液（１２８）を加圧状態で供給するように適合される、請求項１〜１９のいずれかに記載の方法。
【請求項２１】
前記抽出デバイス（１１０）、好ましくは前記液体充填器（１１６）が、少なくとも一つの弁、好ましくは背圧弁（２０４）を有する、請求項１〜２０のいずれかに記載の方法。
【請求項２２】
前記液体充填器（１１６）が少なくとも一つの抽出液（１２８）テンパリングエレメント（１４６）を有し、前記抽出液（１２８）テンパリングエレメント（１４６）が前記抽出液（１２８）をテンパリングするように適合される、請求項１〜２１のいずれかに記載の方法。
【請求項２３】
前記サンプリングデバイス（１１８）が、前記成分を吸収するように、且つ好ましくは前記成分を濃縮及び／又は枯渇させるように適合された少なくとも一つの吸収材料（１５８）を有する、請求項１〜２２のいずれかに記載の方法。
【請求項２４】
少なくとも一つの成分を生物学的サンプル（１１２）から抽出するための少なくとも一つの抽出デバイス（１１０）を備える抽出システムであって、前記抽出デバイス（１１０）は少なくとも１つの液体充填器（１１６）を有し、前記液体充填器（１１６）が前記サンプル（１１２）の第一の側面（１２２）と接触するように適合され、前記液体充填器（１１６）が抽出液（１２８）を前記サンプル（１１２）の前記第一の側面（１２２）に適用するように適合され、前記抽出デバイス（１１０）がさらに少なくとも一つのサンプリングデバイス（１１８）を有し、前記サンプリングデバイス（１１８）が前記サンプル（１１２）の第二の側面（１２４）と接触するように適合され、前記サンプリングデバイス（１１８）が前記抽出液（１２８）と前記成分とを含むサンプル流体（１２６）を収集するように適合され、前記抽出システムはさらに少なくとも一つの生物学的サンプル（１１２）を含み、前記生物学的サンプル（１１２）が前記液体充填器（１１６）と前記サンプリングデバイス（１１８）との間でクランプされ、前記液体充填器（１１６）及び前記サンプリングデバイス（１１８）が、少なくとも一つの接続機構（１６２）によって接続され、前記接続機構（１６２）が、前記液体充填器（１１６）と前記サンプリングデバイス（１１８）との間の距離を変化させるように適合され、前記液体充填器（１１６）が前記液体充填器（１１６）と前記サンプリングデバイス（１１８）との間に配置された前記サンプル（１１２）にクランプ力を加え、前記生物学的サンプル（１１２）が、植物から採取され且つ葉、幹、茎、根、貯蔵根、枝、花部、花、果実序、果実、穂、穂軸及び種子からなる群から選択され、前記抽出デバイス（１１０）が、植物を細かく切断することなく抽出を行うために前記生物学的サンプル（１１２）の上にクランプされる、前記抽出システム。
【国際調査報告】
2013545964.tif 000006
2013545964.tif 000007
2013545964.tif 000008